(57)【要約】【課題】本発明は、詳細には、洗濯物の収容空間が最大限確保される洗濯物処理装置に関する。【解決手段】本発明の実施形態に係る洗濯物処理装置は、洗濯物を収容し前方及び後方が開口し、回転中心から距離が一定でない非円形の閉曲線の断面で形成される回転可能なドラムと、前記ドラムの断面曲率が一定の部分を支持し回転可能な円状ガイドと、前記ドラムの前方または後方に備えられて前記円状ガイドが回転できるように前記円状ガイドを支持するパネルとを備える。【選択図】図２【特許請求の範囲】
【請求項１】
洗濯物を収容するドラムであって、開放された前方と開放された後方とを含み、前記ドラムの回転中心から前記ドラムの内側面までの距離が均一でない非円形閉曲線の断面を有し、前記ドラムの断面は、均一な曲率を有する第１部分を有する、前記ドラムと、
前記ドラムの第１部分を支持する円状ガイドと、
前記ドラムの前方または後方に提供されるパネルであって、前記円状ガイドを支持することによって前記円状ガイドがパネルに対して回転する前記パネルと
を備えることを特徴とする洗濯物処理機器。
【請求項２】
前記円状ガイドの回転中心からの半径は、前記円状ガイドにわたって均一であることを特徴とする請求項１に記載の洗濯物処理機器。
【請求項３】
前記ドラムの断面の上端部から前記ドラムの断面の下端部までの距離は、前記ドラムの断面の左側から前記ドラムの断面の右側までの距離より大きいことを特徴とする請求項１に記載の洗濯物処理機器。
【請求項４】
前記ドラムの前方のエッジに提供されるドラムシーラーをさらに備えることを特徴とする請求項１に記載の洗濯物処理機器。
【請求項５】
前記円状ガイドにより支持されない前記ドラムの第２部分を支持し、前記ドラムが回転する間に前記非円形閉曲線の断面を維持する補助ガイドをさらに備えることを特徴とする請求項１に記載の洗濯物処理機器。
【請求項６】
前記パネルは、前記ドラムの内側面と接触するパネルシーラーを備えることを特徴とする請求項１に記載の洗濯物処理機器。
【請求項７】
前記パネルは、前記円状ガイドの回転を受けて許すための円状ガイド固着部を備えることを特徴とする請求項１に記載の洗濯物処理機器。
【請求項８】
前記ドラムの外面と接触し、前記ドラムを回転する力を受ける駆動ベルトと、
前記駆動ベルトと接触しない前記ドラムの一部と接触する補助ベルトとをさらに備えることを特徴とする請求項１に記載の洗濯物処理機器。
【請求項９】
前記ドラムの内側面上のリフトと、
前記リフトを前記ドラムの内側面に付着しながら、前記ドラムの内側面の可変する曲率と関係なく前記ドラムの内側面に対して前記リフトの実質的に一定の角度を維持する結合部材とを備えることを特徴とする請求項１に記載の洗濯物処理機器。
【請求項１０】
前記円状ガイドと前記パネルとの間に提供され、前記円状ガイドを支持するローリング部材をさらに備えることを特徴とする請求項１に記載の洗濯物処理機器。
【請求項１１】
前記ドラムと共に回転するために、前記ドラムと前記円状ガイドとの間に提供されるパッドをさらに備えることを特徴とする請求項１に記載の洗濯物処理機器。
【請求項１２】
前記ドラムの外面を支持し、前記ドラムが回転する間に前記ドラムが前記非円形閉曲線の断面を維持することを許容するための支持部材をさらに備えることを特徴とする請求項１に記載の洗濯物処理機器。
【請求項１３】
前面パネルと、
後面パネルと、
開放された前方と開放された後方とを有するドラムであって、前記ドラムの内側面は非円状に形成されることによって、前記ドラムの回転中心からの半径は前記内側面に沿って可変し、前記内側面の上端部から前記内側面の下端部までの距離は、前記内側面の左側から前記内側面の右側までの距離より大きい、前記ドラムと、
前記前面パネルにより支持される前方円状ガイドであって、前記ドラムの内側面を支持し前記ドラムと共に回転し、前記ドラムに外部方向への力（outward  force）を提供する前記前方円状ガイドと、
前記後面パネルにより支持される後方円状ガイドであって、前記ドラムの内側面を支持し前記ドラムと共に回転し、前記ドラムに外部方向への力を提供する前記後方円状ガイドとを備えることを特徴とする洗濯物処理機器。
【請求項１４】
前記前方円状ガイドの回転中心からの前記前方円状ガイドの半径は一定で、前記後方円状ガイドの回転中心からの前記後方円状ガイドの半径は一定であることを特徴とする請求項１３に記載の洗濯物処理機器。
【請求項１５】
前記前方円状ガイドの回転中心は、前記ドラムの回転中心よりさらに高く、前記後方円状ガイドの回転中心は、前記ドラムの回転中心よりさらに高いことを特徴とする請求項１４に記載の洗濯物処理機器。
【請求項１６】
前記ドラムの前方と前記前方円状ガイド間の前記ドラムの前方のエッジに提供されるドラムシーラーをさらに備えることを特徴とする請求項１３に記載の洗濯物処理機器。
【請求項１７】
前記前方円状ガイドにより支持されない領域で前記ドラムの内側面を支持する補助ガイドをさらに備えることを特徴とする請求項１３に記載の洗濯物処理機器。
【請求項１８】
前記前方円状ガイドは、一定の曲率を有する前記内側面の領域で前記ドラムの内側面を支持することを特徴とする請求項１３に記載の洗濯物処理機器。
【請求項１９】
前記ドラムの外面に接触し、前記ドラムを回転する回転力を受ける駆動ベルトと、
前記駆動ベルトと接触しない前記ドラムの一部と接触する補助ベルトと
を備えることを特徴とする請求項１３に記載の洗濯物処理機器。
【請求項２０】
前記ドラムの内側面に提供されるリフトと、
前記リフトを前記ドラムの内側面に結合し、前記ドラムの内側面の可変する曲率に関係なく前記ドラムの内側面に対して前記リフトの実質的に一定の角度を維持する結合部材と
を備えることを特徴とする請求項１３に記載の洗濯物処理機器。
【請求項２１】
前記前方円状ガイドと前記前面パネルとの間に提供され、前記前方円状ガイドを支持するローリング部材をさらに備えることを特徴とする請求項１３に記載の洗濯物処理機器。
【請求項２２】
前記ドラムの外面を支持し、前記ドラムが非円形閉曲線の断面を維持する間に前記ドラムが回転するように支持部材をさらに備えることを特徴とする請求項１３に記載の洗濯物処理機器。
【発明の詳細な説明】
【技術分野】
【０００１】
本発明は、洗濯物処理機器に関し、さらに詳細には、洗濯物の収容空間が最大限確保される洗濯物処理機器に関する。
【背景技術】
【０００２】
洗濯物処理機器とは、家庭内またはクリーニング店などで洗濯物の洗濯、乾燥、しわ除去などのように衣服、寝具など（以下、「洗濯物」とする）を管理又は処理するためのすべての装置のことを意味する。洗濯物処理機器には、水と洗剤の化学的分解作用と水と洗濯物との間の摩擦などの物理的作用などを利用して、洗濯物についた汚染物質を分離する洗濯機と、濡れた洗濯物を脱水し乾燥させる乾燥器と、洗濯物に加熱した蒸気を噴射して洗濯物によるアレルギーを防止し、かつ洗濯物を簡便に洗濯するリフレッシャーなどがある。
【０００３】
乾燥器は、通常、洗濯が完了した洗濯物を高温の空気を利用して乾燥する家電機器である。一般に、乾燥器は、洗濯物を収容して回転するドラムを有する。洗濯物が収容されて回転するドラムに高温の乾燥空気を供給し、ドラム内の湿った空気を排気させる。このような乾燥器のドラムは、回転できるように形成されて収容空間が最大限確保され難いという問題点があった。
【図面の簡単な説明】
【０００４】
【図１】本発明の一実施形態に係る洗濯物処理機器に対する斜視図である。
【図２】本発明の一実施形態に係る洗濯物処理機器に対する内部斜視図である。
【図３Ａ】本発明の一実施形態に係る洗濯物処理機器に対する内部正面図である。
【図３Ｂ】本発明の一実施形態に係る洗濯物処理機器のドラム駆動方法を示す図である。
【図３Ｃ】本発明の他の実施形態に係る洗濯物処理機器のドラム駆動方法を示す図である。
【図４Ａ】本発明の一実施形態に係る洗濯物処理機器に対する内部斜視図である。
【図４Ｂ】本発明の一実施形態に係る洗濯物処理機器に対する一部断面図である。
【図５Ａ】本発明のそれぞれ別の実施形態に係る洗濯物処理機器の円状ガイドを示す図である。
【図５Ｂ】本発明のそれぞれ別の実施形態に係る洗濯物処理機器の円状ガイドを示す図である。
【図５Ｃ】本発明のそれぞれ別の実施形態に係る洗濯物処理機器の円状ガイドを示す図である。
【図５Ｄ】本発明のそれぞれ別の実施形態に係る洗濯物処理機器の円状ガイドを示す図である。
【図６Ａ】本発明のさらに他の実施形態に係る洗濯物処理機器に対する内部斜視図である。
【図６Ｂ】図６Ａに示す洗濯物処理機器の前面パネルを示す部分斜視図である。
【図６Ｃ】図６Ａに示す洗濯物処理機器の後面パネルを示す部分斜視図である。
【図７Ａ】本発明のそれぞれ別の実施形態に係る洗濯物処理機器の補助ガイドを示す図である。
【図７Ｂ】本発明のそれぞれ別の実施形態に係る洗濯物処理機器の補助ガイドを示す図である。
【図７Ｃ】本発明のそれぞれ別の実施形態に係る洗濯物処理機器の補助ガイドを示す図である。
【図８Ａ】本発明の一実施形態に係る洗濯物処理機器に対する内部斜視図である。
【図８Ｂ】図８Ａに示す洗濯物処理機器に内部正面図である。
【図９Ａ】本発明の一実施形態に係るドラム組立体を示す図である。
【図９Ｂ】図９Ａに示すＡ部分の平面図である。
【図１０Ａ】本発明の他の実施形態に係るドラム組立体を示す図である。
【図１０Ｂ】図１０Ａに示す結合部の平面図である。
【図１０Ｃ】図１０Ａの結合部の結合前を示す図である。
【図１１Ａ】本発明の他の実施形態に係るドラム１１０とリフトモジュール１５０を示す図である。
【図１１Ｂ】リフトモジュール１５０の多様な実施形態を示す図である。
【図１１Ｃ】リフトモジュール１５０の多様な実施形態を示す図である。
【図１１Ｄ】リフトモジュール１５０の多様な実施形態を示す図である。
【図１１Ｅ】リフトモジュール１５０の多様な実施形態を示す図である。
【図１１Ｆ】リフトモジュール１５０の多様な実施形態を示す図である。
【図１２Ａ】本発明のさらに他の実施形態に係る円状ガイド３２０とパネルを示す図である。
【図１２Ｂ】図１２Ａに示すＡ部分の断面図である。
【図１３Ａ】ローリング部材４３０とパネル４１１のさらに他の実施形態を示す図である。
【図１３Ｂ】図１３Ａに示すＢ部分の断面図である。
【図１４Ａ】図４Ｂに示す構成のさらに他の実施形態を示す図である。
【図１４Ｂ】図１４Ａのさらに他の実施形態を示す図である。
【図１５Ａ】本発明のさらに他の実施形態に係る洗濯物処理機器の内部正面図である。
【図１５Ｂ】支持部材１６０のそれぞれ別の実施形態を示す図である。
【図１５Ｃ】支持部材１６０のそれぞれ別の実施形態を示す図である。
【図１５Ｄ】支持部材１６０のそれぞれ別の実施形態を示す図である。
【図１６Ａ】図４Ｂに示す構成のさらに他の実施形態を示す図である。
【図１６Ｂ】図１６Ａに示す構成の正面図である。
【発明を実施するための形態】
【０００５】
本発明の利点及び特徴、そしてそれらを達成する方法は、添付図面と共に詳細に後述されている実施形態を参照すれば明確になるはずである。しかしながら、本発明は、以下に開示される実施形態に限定されるものではなく、互いに異なる多様な形態により具現化されることができ、但し本実施の形態は、本発明の開示が完全になるようにし、本発明が属する技術分野における通常の知識を有した者に発明の範ちゅうを完全に知らせるために提供されるものであり、本発明は、請求項の範ちゅうにより定義されるだけである。明細書全般にわたって同じ参照番号で表示された部分は、同じ構成要素を示す。
【０００６】
以下、本発明の実施形態らによって洗濯物処理機器を説明するための図を参考して、本発明について説明する。
【０００７】
図１は、本発明の一実施形態に係る洗濯物処理機器に対する斜視図である。図２は、本発明の一実施形態に係る洗濯物処理機器に対する内部斜視図である。
【０００８】
本発明の一実施形態に係る洗濯物処理機器は、外観を形成するキャビネット１０１と、キャビネット１０１の内側に配置されて洗濯物が収容され回転可能なドラム１１０と、ドラム１１０の断面曲率が一定の部分を支持し回転可能な円状ガイド１２０ａ、１２０ｂと、円状ガイド１２０ａ、１２０ｂを支持しドラム１１０の前方及び後方にそれぞれ備えられる前面パネル１１１及び後面パネル１１２と、円状ガイド１２０ａ、１２０ｂが支持しない部分を支持する補助ガイド１４０ａ、１４０ｂとを備える。
【０００９】
キャビネット１０１は、洗濯物処理機器の外観を形成するものであって、前面には、洗濯物がドラム１１０に出入するキャビネット出入ホールが形成され、キャビネット出入ホールを開閉するためのドア１０６が回動可能に連結される。キャビネット１０１の前面には、ユーザが作動命令を入力したりユーザに洗濯物処理機器の作動状態を表示したりするコントロールパネル１０９が備えられる。
【００１０】
キャビネット１０１の前面後方には、前方円状ガイド１２０ａを支持する前面パネル１１１が備えられる。前面パネル１１１には、ドラム１１０の形状を維持するための前方円状ガイド１２０ａ及び前方補助ガイド１４０ａが備えられる。
【００１１】
前面パネル１１１は、前方円状ガイド１２０ａが回転できるように前方円状ガイド１２０ａを支持する。前面パネル１１１は、キャビネット１０１と結合されてドラム１１０の荷重を支持する前方円状ガイド１２０ａを支持する。前面パネル１１１は、キャビネット１０１のキャビネット出入ホールと対応して洗濯物がドラム１１０に出入するパネル出入ホール１１１´が形成される。パネル出入ホール１１１´は、ドア１０６によって開閉する。
【００１２】
前面パネル１１１には、ドラム１１０内の空気を排気する送風ファン１３１と、送風ファン１３１によって送風されたドラム１１０内の空気が通過する排気ダクト１３３が備えられる。前面パネル１１１には、排気ダクト１３３と連通してドラム１１０内の空気が排気される排気ホールが形成される。前面パネル１１１は、ドラム１１０の前方でドラム１１０と接触されてドラム１１０の前方を密封して、ドラム１１０内の空気が漏れずに排気ダクト１３３に排気されるようにする。
【００１３】
前面パネル１１１には、送風ファン１３１により排気される空気の異質物をろ過するリントフィルター（図示せず）が備えられてもよい。排気ダクト１３３を通過したドラム１１０内の空気は、キャビネット１０１の外部に排気されるか、又はヒータ１３０に流入することができる。
【００１４】
キャビネット１０１の後面の前方には、後方円状ガイド１２０ｂを支持する後面パネル１１２が備えられる。後面パネル１１２には、ドラム１１０の形状を維持するための後方円状ガイド１２０ｂ及び後方補助ガイド１４０ｂが備えられる。
【００１５】
後面パネル１１２は、後方円状ガイド１２０ｂが回転できるように後方円状ガイド１２０ｂを支持する。後面パネル１１２は、キャビネット１０１と結合されてドラム１１０の荷重を支持する後方円状ガイド１２０ｂを支持する。
【００１６】
後面パネル１１２には、ヒータ１３０で加熱した空気がドラム１１０内に流入する通路である吸気ダクト１３５が備えられる。後面パネル１１２には、吸気ダクト１３５と連通してドラム１１０内に空気が流入する吸気ホールが形成される。後面パネル１１２は、ドラム１１０の後方でドラム１１０と接触されてドラム１１０の後方を密封して、ドラム１１０内の空気が漏れないようにする。
【００１７】
ヒータ１３０は、ドラム１１０内に流入する空気を加熱する。ヒータ１３０は、キャビネットを介して流入する外部空気を加熱したり、排気ダクト１３３と連結されてドラム１１０から排気される空気を加熱する。ヒータ１３０で加熱した空気は、吸気ダクト１３５を介してドラム１１０内に流入する。
【００１８】
ドラム１１０は、洗濯物を収容して回転する。ドラム１１０は、内部に洗濯物が収容され空気が後方から前方へ通過するように前方及び／又は後方が開口した筒状である。このとき、ドラム１１０の前方は、キャビネット１０１の前面方向を意味し、ドラム１１０の後方は、キャビネット１０１の後面方向を意味する。ドラム１１０の前方と後方のうちの一方だけが開口することができ、またドラム１１０の前方と後方とも開口して実施することができる。ドラム１１０には、ドラム１０の回転時に収容された洗濯物が持ち上げられてから落とされるようにドラム１１０の内面にリフター１１５が備えられる。実施形態によってドラム１１０の内面には、リフトモジュール１５０を備えることができ、これについては、図１１Ａ及び図１１Ｂにおいて後述する。
【００１９】
ドラム１１０は、回転中心から距離が一定でない非円形の閉曲線の断面で形成される。ドラム１１０の断面一部は、円状ガイド１２０ａ、１２０ｂの回転中心からの距離が一定であるから、曲率が一定である。ドラム１１０は、キャビネット１０１の内部で最大の収容空間を確保するために、キャビネットの形状に沿って形成されることが好ましい。
【００２０】
ドラム１１０は、非円形の閉曲線の断面を維持し回転するように、弾力があり、かつ曲がる金属または高分子化合物の材質から形成されることが好ましい。ドラム１１０は、非円形の閉曲線の断面形状を維持し回転するために、内面が円状ガイド１２０ａ、１２０ｂ及び補助ガイド１４０ａ、１４０ｂによって支持される。
【００２１】
ドラム１１０の断面曲率が一定の部分は、円状ガイド１２０ａ、１２０ｂによって支持される。ドラム１１０において円状ガイド１２０ａ、１２０ｂが支持しない部分は、補助ガイド１４０ａ、１４０ｂによって支持される。ドラム１１０の前方及び後方の内面は、前面パネル１１１及び後面パネル１１２と接触して密封されることが好ましい。
【００２２】
円状ガイド１２０ａ、１２０ｂは、ドラム１１０の断面曲率が一定の部分を支持し、回転できるように前面パネル１１１または後面パネル１１２に備えられるリング状である。円状ガイド１２０ａ、１２０ｂは、ドラム１１０の内面と接触してドラム１１０に外側方向に垂直抗力を印加してドラム１１０を支持する。円状ガイド１２０ａ、１２０ｂは、ドラム１１０の荷重を支持しドラム１１０と共に回転する。
【００２３】
円状ガイド１２０ａ、１２０ｂによって支持されるドラム１１０の部分は、円状ガイド１２０ａ、１２０ｂの回転中心から距離が一定である。円状ガイド１２０ａ、１２０ｂは、回転中心がドラムの回転中心より高く位置するよう配置され、ドラム１１０の上部内面を支持することが好ましい。
【００２４】
円状ガイド１２０ａ、１２０ｂは、ドラム１１０の荷重を支持できるように最大限多くの部分でドラム１１０の内面と接触されることが好ましい。円状ガイド１２０ａ、１２０ｂは、ドラム１１０の回転中心が内部に位置するように十分に大きく形成される。
【００２５】
円状ガイド１２０ａ、１２０ｂは、ドラム１１０が非円形の閉曲線の断面を維持し回転するように、ドラム１１０の断面曲率が一定な部分と接触されてドラム１１０と共に回転する。円状ガイド１２０ａ、１２０ｂは、ドラム１１０と共に回転するようにドラム１１０との摩擦を大きくすることが好ましい。円状ガイド１２０ａ、１２０ｂは、回転できるように前面パネル１１１または後面パネル１１２と摩擦を最小化して支持することが好ましい。
【００２６】
円状ガイド１２０ａ、１２０ｂは、複数備えられ、ドラム１１０の前方のエッジ内面を支持する前方円状ガイド１２０ａ及びドラム１１０の後方のエッジ内面を支持する後方円状ガイド１２０ｂから備えられる。前方円状ガイド１２０ａは、前面パネル１１１によって支持され、後方円状ガイドは、後面パネル１１２によって支持される。
【００２７】
前方円状ガイド１２０ａは、前面パネル１１１のパネル出入ホール１１１´が内部に配置されるように、前面パネル１１１のパネル出入ホール１１１´の周辺に備えられる。すなわち、リング状の前方円状ガイド１２０ａは、パネル出入ホール１１１´が内部に配置されるように備えられる。
【００２８】
補助ガイド１４０ａ、１４０ｂは、ドラム１１０が非円形の閉曲線の断面を維持して回転するように、ドラム１１０において円状ガイド１２０ａ、１２０ｂが支持しない部分を支持する。補助ガイド１４０ａ、１４０ｂは、前面パネル１１１または後面パネル１１２と結合されてドラム１１０が回転できるようにドラム１１０を支持する。
【００２９】
補助ガイド１４０ａ、１４０ｂは、ドラムの回転中心より低く位置するように配置され、ドラム１１０の下部内面を支持することが好ましい。
【００３０】
補助ガイド１４０ａ、１４０ｂは、ドラム１１０の内面と接触し弾性力を発生して、ドラム１１０に外側方向に垂直抗力を印加してドラム１１０を支持する。円状ガイド１２０ａ、１２０ｂがドラム１１０との摩擦を大きくすることが好ましいのに対し、補助ガイド１４０ａ、１４０ｂは、ドラム１１０との摩擦を最小化することが好ましい。
【００３１】
補助ガイド１４０ａ、１４０ｂは、複数備えられ、ドラム１１０の前方のエッジ内面を支持する前方補助ガイド１４０ａ及びドラム１１０の後方のエッジ内面を支持する後方補助ガイド１４０ｂから備えられる。
【００３２】
図３Ａは、本発明の一実施形態に係る洗濯物処理機器に対する内部正面図である。
【００３３】
図３Ａに示すように、本発明の一実施形態に係る洗濯物処理機器は、回転中心から距離が一定でない非円形の閉曲線の断面で形成されたドラム１１０と、回転力を発生するモータ１７０と、モータ１７０の回転力を受けてドラム１１０を回転させる駆動ベルト１７５とを備える。
【００３４】
ドラム１１０は、回転中心から距離が一定でない非円形の閉曲線の断面で形成される。本実施形態において、上下の長さが左右の長さよりさらに長い長方形のキャビネット１０１の形態によって、ドラム１１０は、断面の上下端の距離ｂが両側端の距離ａより大きいので好ましい。ドラム１１０断面の一部は、曲率が一定な、すなわち半直径が一定でありうる。また、ドラム１１０断面の一部は、直線になることができる。
【００３５】
駆動ベルト１７５及びモータ１７０は、ドラム１１０が非円形の閉曲線の断面を維持して回転するようにする。駆動ベルト１７５は、ドラム１１０の外面と滑らないように接触されてドラム１１０に内側方向に垂直抗力を印加し、モータ１７０の回転力を受けてドラム１１０を回転させる。駆動ベルト１７５は、よく曲がり、弾力のある高分子化合物または金属の材質であることが好ましい。駆動ベルト１７５は、摩擦係数の高い材質から形成されて、ドラム１１０の外面と滑らないようにし、又は、駆動ベルト１７５の内面及びドラム１１０の外面に凹凸が形成されて、互いに滑らないようにすることが好ましい。
【００３６】
モータ１７０は、回転力を発生して駆動ベルト１７５を移送する。モータ１７０から発生した回転力は、駆動ベルト１７５によって伝達されてドラム１１０を回転させる。
【００３７】
図３Ｂは、本発明の一実施形態に係る洗濯物処理機器のドラム駆動方法を示す図である。
【００３８】
本発明の一実施形態に係る洗濯物処理機器は、駆動ベルト１７５でドラム１１０と接触されない部分と接触されて、駆動ベルト１７５に張力を印加するベルト・テンショナー１７２を備える。
【００３９】
駆動ベルト１７５は、ドラム１１０と離隔されて配置されるモータシャフト１７１と接触するので、ドラム１１０と接触されない部分が存在する。すなわち、駆動ベルト１７５は、ドラム１１０の外面の一部と接触する。ベルト・テンショナー１７２は、ドラム１１０と接触されない部分を最小化し、駆動ベルト１７５の張力を高める。
【００４０】
駆動ベルト１７５の張力が高くなると、駆動ベルト１７５がドラム１１０に内側方向に印加する垂直抗力が高くなって、ドラム１１０が円状ガイド１２０ａ、１２０ｂ及び／又は補助ガイド１４０ａ、１４０ｂによってスムーズに支持できるようにする。
【００４１】
ベルト・テンショナー１７２は、駆動ベルト１７５を回転させるモータ１７０のモータシャフト１７１の近くに配置されて、駆動ベルト１７５と接触される。ベルト・テンショナー１７２は、駆動ベルト１７５のドラム１１０と接触される面でない面に接触されて、駆動ベルト１７５がドラム１１０と接触されない部分が最小になることが好ましい。
【００４２】
図３Ｃは、本発明の他の実施形態に係る洗濯物処理機器のドラム駆動方法を示す図である。
【００４３】
本発明の他の実施形態に係る洗濯物処理機器は、駆動ベルト１７５のドラム１１０と接触されない部分と接触される第１ベルト・テンショナー２７２ａ及び第２ベルト・テンショナー２７２ｂと、第１ベルト・テンショナー２７２ａ及び第２ベルト・テンショナー２７２ｂを連結するテンショナー弾性部材２７２ｃとを備える。
【００４４】
第１ベルト・テンショナー２７２ａ及び第２ベルト・テンショナー２７２ｂは、モータシャフト１７１を基準に互いに異なる方面で駆動ベルト１７５と接触するように対称配置される。第１ベルト・テンショナー２７２ａ及び第２ベルト・テンショナー２７２ｂの相互間の引力が発生するように弾性力を発生するテンショナー弾性部材２７２ｃに第１ベルト・テンショナー２７２ａ及び第２ベルト・テンショナー２７２ｂが連結されて、駆動ベルト１７５がドラム１１０と接触されない部分を最小化する。また、第１ベルト・テンショナー２７２ａ及び第２ベルト・テンショナー２７２ｂは、駆動ベルト１７５の張力を高めて、駆動ベルト１７５とドラム１１０との間の摩擦を最大化し、駆動ベルト１７５がドラム１１０に内側方向に印加する垂直抗力を高めてドラム１１０が円状ガイド１２０ａ、１２０ｂ及び／又は補助ガイド１４０ａ、１４０ｂによってスムーズに支持できるようにする。
【００４５】
図４Ａは、本発明の一実施形態に係る洗濯物処理機器に対する内部斜視図で、図４Ｂは、本発明の一実施形態に係る洗濯物処理機器に対する一部断面図である。
【００４６】
本発明の一実施形態に係る洗濯物処理機器の前面パネル１１１は、前方円状ガイド１２０ａが回転できるように固着される前方円状ガイド固着部１１１−２と、ドラム１１０の前方の内面と接触されてドラム１１０の前方を密封する前面密封パネル１１１−３と、ドラム１１０が前方に突出することを防止する前面パネルプロテクター１１１−１と、キャビネット１０１の前面後方と結合される前面パネル結合部材１１１−９とを備える。
【００４７】
また、本発明の一実施形態に係る洗濯物処理機器の前方円状ガイド１２０ａは、前面パネル１１１の前方円状ガイド固着部１１１−２と接触され摩擦を低減する摩擦低減部材１２２と、摩擦低減部材１２２と結合されドラム１１０の内面を支持する円状ガイドブラケット１２１とを備える。
【００４８】
また、本発明の一実施形態に係る洗濯物処理機器は、ドラム１１０の前方のエッジに備えられてドラム１１０の前方と前方円状ガイド１２０ａとの間を密封するドラムシーラー１１４をさらに備える。
【００４９】
前方円状ガイド固着部１１１−２は、前方円状ガイド１２０ａが回転できるように固着する。前方円状ガイド固着部１１１−２は、前方円状ガイド１２０ａの内側を支持するように、前方円状ガイド１２０ａの形状に対応するリング状を有するように形成される。前方円状ガイド固着部１１１−２は、前方円状ガイド１２０ａの摩擦低減部材１２２と接触される。
【００５０】
前方円状ガイド固着部１１１−２は、前方側（キャビネット１０１の前面側）が前面パネルプロテクター１１１−１と結合され、後方側（ドラム１１０側）が前面密封パネル１１１−３と結合される。前方円状ガイド固着部１１１−２は、前面パネルプロテクター１１１−１と同心円をなすように結合される。前方円状ガイド固着部１１１−２の中心が前面密封パネル１１１−３の中心より高く位置するように、前方円状ガイド固着部１１１−２は、前面密封パネル１１１−３の上部に結合される。前方円状ガイド固着部１１１−２は、ドラム１１０の回転中心が内部に位置するように十分に大きく形成される。
【００５１】
前方円状ガイド固着部１１１−２は、パネル出入ホール１１１´の周辺に配置されて洗濯物がドラム１１０に出入するようにする。すなわち、リング状の前方円状ガイド固着部１１１−２は、パネル出入ホール１１１´が内部に配置するように備えられる。
【００５２】
ドラム１１０に洗濯物が投入されて回転すると、洗濯物の不均衡分布によってドラム１１０の回転軸自体の幾何学的中心と実際の重心とが不一致なアンバランス（Ｕｎｂａｌａｎｃｅ）によって、ドラム１１０に振動が発生する。ドラム１１０の軸方向の振動及び／又は上下方向の振動によって、ドラム１１０、前方円状ガイド１２０ａ及び前面パネル１１１の前方円状ガイド固着部１１１−２が互いに離脱できる。前方円状ガイド１２０ａは、前面パネルプロテクター１１１−１と前面密封パネル１１１−３との間で前方円状ガイド固着部１１１−２に固着するので、ドラム１１０のアンバランスによる振動によって前方円状ガイド１２０ａが前方円状ガイド固着部１１１−２の前方や後方に離脱することが防止される。
【００５３】
前方円状ガイド固着部１１１−２は、キャビネット１０１の前面後方と結合される前面パネル結合部材１１１−９と結合する。
【００５４】
前面密封パネル１１１−３は、ドラム１１０の形状に対応するように形成され、ドラム１１０の前方の内面と接触する。前面密封パネル１１１−３は、ドラム１１０の形状に対応して中心から距離が一定でない非円形の閉曲線の断面で形成される。前面密封パネル１１１−３は、洗濯物がドラム１１０に出入するパネル出入ホール１１１´が形成される。前面密封パネル１１１−３には、排気ダクト１３３と連通してドラム１１０内の空気が排気される排気ホールが形成される。
【００５５】
前面密封パネル１１１−３は、前方円状ガイド固着部１１１−２の後方側と結合する。前面密封パネル１１１−３は、前方円状ガイド固着部１１１−２より外側に突出して、ドラム１１０のアンバランスによる振動によって前方円状ガイド１２０ａが後方に離脱するのを防止する。
【００５６】
前方円状ガイド固着部１１１−２は、前面密封パネル１１１−３のパネル出入ホール１１１´の周辺に配置されて、洗濯物がドラム１１０に出入できるようにする。すなわち、リング状の前方円状ガイド固着部１１１−２は、パネル出入ホール１１１´が内部に配置するように備えられる。
【００５７】
前面密封パネル１１１−３は、ドラム１１０の前方の内面と摩擦を低減して接触するパネルシーラー１１１−４を備える。パネルシーラー１１１−４は、ドラム１１０の前方を密封して摩擦を低減するように摩擦係数の低いポリテトラフルオロエチレン（ｐｏｌｙｔｅｔｒａｆｌｕｏｒｏｅｔｈｙｌｅｎｅ；ＰＴＦＥ）オイルが含有された合成素材から形成される。実施形態によってパネルシーラー１１１−４は、織物またはゴム素材から形成することができる。
【００５８】
前面密封パネル１１１−３は、前方円状ガイド固着部１１１−２が結合される部分の下部で補助ガイド１４０ａ、１４０ｂと結合する。補助ガイド１４０ａ、１４０ｂは、前面密封パネル１１１−３の下部に固定結合されてドラム１１０で円状ガイド１２０ａ、１２０ｂが支持しない部分を支持する。
【００５９】
前面パネルプロテクター１１１−１は、前方円状ガイド固着部１１１−２の形状に対応してリング状を有するように形成される。前面パネルプロテクター１１１−１は、前方円状ガイド固着部１１１−２の前方側と結合する。
【００６０】
前面パネルプロテクター１１１−１は、ドラム１１０より外側に突出してドラム１１０が前方に突出するのを防止する。前面パネルプロテクター１１１−１は、外側エッジがキャビネット１０１の前面側へ向かうように屈折して、ドラム１１０が前方にある程度は突出できるようにするが、ドラム１１０のアンバランスによる振動によってドラム１１０が過度に突出する場合、前面パネルプロテクター１１１−１がドラムシーラー１１４と接触されて、ドラム１１０が過度に突出するのを防止する。
【００６１】
前面パネルプロテクター１１１−１は、前方円状ガイド固着部１１１−２より外側に突出して、ドラム１１０のアンバランスによる振動によって前方円状ガイド１２０ａが前方に離脱するのを防止する。前面パネルプロテクター１１１−１は、キャビネット１０１の前面後方と結合される前面パネル結合部材１１１−９と結合する。
【００６２】
前面パネル結合部材１１１−９は、前方円状ガイド固着部１１１−２、前面パネルプロテクター１１１−１、及びキャビネット１０１の前面後方を結合して、前方円状ガイド固着部１１１−２がドラム１１０の荷重を支持するようにする。
【００６３】
摩擦低減部材１２２は、前方円状ガイドブラケット１２１がドラム１１０の荷重を支持し回転できるように、前方円状ガイド固着部１１１−２と接触する。摩擦低減部材１２２は、一種のベアリング（Ｂｅａｒｉｎｇ）であって、実施形態によって多様に具現化することができる。本実施形態において、摩擦低減部材１２２は、前方円状ガイド固着部１１１−２に沿って転がる回転可能な円状ガイドローラ１２２である。円状ガイドローラ１２２には、円状ガイドローラ１２２を円状ガイドブラケット１２１に回転できるように結合するローラ軸１２３が備えられる。
【００６４】
円状ガイドブラケット１２１は、ドラム１１０の内面と接触してドラム１１０に外側方向に垂直抗力を印加してドラム１１０を支持する。円状ガイドブラケット１２１は、ドラム１１０と共に回転できるように、ドラム１１０の内面と接触される部分の摩擦を大きくすることが好ましい。すなわち、円状ガイドブラケット１２１のドラム１１０の内面と接触する上面は、摩擦係数の大きな物質が備えられるか、又は塗布されることが好ましい。
【００６５】
円状ガイドブラケット１２１の下部には、摩擦低減部材１２２が備えられる。円状ガイドブラケット１２１の前方側面は、ドラムシーラー１１４と接触されてドラム１１０の前方を密封することが好ましい。
【００６６】
ドラムシーラー１１４は、ドラム１１０の前方のエッジを取り囲むように備えられる。ドラムシーラー１１４は、円状ガイドブラケット１２１の前方側面と接触されてドラム１１０の前方と前方円状ガイド１２０ａとの間を密封する。ドラム１１０は、パネルシーラー１１１−４と接触されて１次に密封され、ドラムシーラー１１４が円状ガイドブラケット１２１と接触されて２次に密封される。ドラム１１０のアンバランスによる振動によってパネルシーラー１１１−４による１次密封が解除されても、ドラムシーラー１１４が２次に密封してドラム１１０内の空気の漏れが遮断される。
【００６７】
ドラムシーラー１１４は、円状ガイドブラケット１２１の前方側面と接触されて、ドラム１１０のアンバランスによる振動によってドラム１１０が円状ガイドブラケット１２１から離脱するのを防止する一方、前方円状ガイド１２０ａが離脱するのを防止する。
【００６８】
ドラムシーラー１１４は、ドラム１１０のアンバランスによる振動によってドラム１１０が前方に過度に突出する場合に、前面パネルプロテクター１１１−１と接触される。ドラムシーラー１１４は、前面パネルプロテクター１１１−１と接触してドラム１１０が前方に過度に突出するのを防止する一方、ドラム１１０と前面パネルプロテクター１１１−１との間を密封する。したがって、ドラム１１０の過度な振動によって、１次密封及び２次密封が解除されてもドラムシーラー１１４が前面パネルプロテクター１１１−１と接触してドラム１１０が３次に密封される。
【００６９】
ドラムシーラー１１４は、前面パネルプロテクター１１１−１と接触してもドラム１１０がスムーズに回転できるように、摩擦係数が小さな素材で形成されることが好ましい。ドラムシーラー１１４は、パネルシーラー１１１−４と同様に、ＰＴＦＥオイルが含有された合成素材から形成されることが好ましく、実施形態によって織物またはゴム素材から形成されることができる。ドラムシーラー１１４は、ドラム１１０の後方のエッジにも備えられることが好ましい。
【００７０】
上述した前面パネル１１１及び前方円状ガイド１２０ａについての説明は、後面パネル１１２及び後方円状ガイド１２０ｂにも適用される。
【００７１】
後面パネル１１２は、後方円状ガイド１２０ｂが回転できるように固着する後方円状ガイド固着部（図示せず）と、ドラム１１０の後方の内面と接触してドラム１１０の後方を密封する後面密封パネル（図示せず）と、ドラム１１０が後方に突出するのを防止する後面パネルプロテクター（図示せず）と、キャビネット１０１の後面前方と結合する後面パネル結合部材（図示せず）とを備える。
【００７２】
また、後方円状ガイド１２０ｂは、後方円状ガイド固着部と接触して摩擦を低減する摩擦低減部材（図示せず）と、摩擦低減部材と結合してドラム１１０の内面を支持し接触する円状ガイドブラケット（図示せず）とを備える。
【００７３】
各構成要素についての説明は、上述した内容で置き換える。ただし、後面密封パネルは、パネル出入ホール１１１´が形成されず、排気ホールの代わりに吸気ダクト１３５と連通してドラム１１０内に空気が流入する吸気ホールが形成される。また、各構成要素の配置や形状の方向が変更されることができる。
【００７４】
図５Ａないし図５Ｂは、本発明のそれぞれ別の実施形態に係る洗濯物処理機器の円状ガイドを示す図である。
【００７５】
図５Ａに示すように、前方円状ガイド１２０ａの摩擦低減部材がすべり部材２２２から形成される。すべり部材２２２は、内面全体が前方円状ガイド固着部１１１−２と面接触される。すべり部材２２２は、摩擦が最小になる摺動部材から形成され、すべり部材２２２と前方円状ガイド固着部１１１−２との間には、摩擦を最小化するために潤滑油で流体膜が形成されることが好ましい。すべり部材２２２は、円状ガイドブラケット２２１と結合され、円状ガイドブラケット２２１は、ドラム１１０の内面を支持する。
【００７６】
図５Ｂに示すように、前方円状ガイド１２０ａの摩擦低減部材が円状ガイドローラ３２２から形成され、前方円状ガイド固着部１１１−２に円状ガイドローラ３２２の一部が挿入されて固着する円状ガイド固着溝１１１−２´が形成される。円状ガイドローラ３２２は、円状ガイド固着溝１１１−２´に一部が挿入されて回転するので、ドラム１１０のアンバランスによる振動によって円状ガイドローラ３２２が前方円状ガイド固着部１１１−２から離脱することが防止される。
【００７７】
図５Ｃに示すように、円状ガイドブラケット４２１は、下側に丸く突出したブラケット突起４２１´が形成され、ブラケット突起４２１´は、前方円状ガイド固着部１１１−２に形成された円状ガイド固着溝１１１−２´に挿入される。ブラケット突起４２１´が円状ガイド固着溝１１１−２´に挿入されて摩擦を減少させ、ドラム１１０のアンバランスによる振動によってブラケット突起４２１´が前方円状ガイド固着部１１１−２から離脱することが防止される。摩擦低減部材４２２は、流体膜として形成される潤滑油であって、円状ガイドブラケット１２１と前方円状ガイド固着部１１１−２との間に充填される。
【００７８】
図５Ｄに示すように、円状ガイドブラケット５２１は、下側に楔状に突出したブラケット突起５２１´が形成される。他の部分についての説明は、図５Ｃを参照して説明した内容で置き換える。
【００７９】
図５Ａないし図５Ｄは、前方円状ガイド１２０ａ及び前方円状ガイド固着部１１１−２を例に挙げて説明したが、後方円状ガイド１２０ｂ及び後方円状ガイド固着部（図示せず）に上述した内容を適用することができる。
【００８０】
図６Ａは、本発明のさらに他の実施形態に係る洗濯物処理機器に対する内部斜視図で、図６Ｂは、図６Ａに示す洗濯物処理機器の前面パネルを示す部分斜視図で、図６Ｃは、図６Ａに示す洗濯物処理機器の後面パネルを示す部分斜視図である。
【００８１】
本発明のさらに他の実施形態に係る洗濯物処理機器は、回転中心がドラム１１０の回転中心より高く位置するように配置されて、ドラム１１０の上部内面を支持する上部円状ガイド２２０ａ、２２０ｂと、回転中心がドラム１１０の回転中心より低く位置するように配置されて、ドラム１１０の下部内面を支持する下部円状ガイド２２０ｃ、２２０ｄとを備える。
【００８２】
上部円状ガイド２２０ａ、２２０ｂは、ドラムの上部で断面曲率が一定の部分と接触されてドラム１１０と共に回転し、下部円状ガイド２２０ｃ、２２０ｄは、ドラムの下部で断面曲率が一定の部分と接触してドラム１１０と共に回転する。上部円状ガイド２２０ａ、２２０ｂ及び下部円状ガイド２２０ｃ、２２０ｄは、回転できるように前面パネル２１１または後面パネル２１２と摩擦を最小化して支持されることが好ましい。
【００８３】
上部円状ガイド２２０ａ、２２０ｂ及び下部円状ガイド２２０ｃ、２２０ｄは、それぞれ複数備えられ、前面パネル２１１によって支持される上部前方円状ガイド２２０ａ及び下部前方円状ガイド２２０ｃと、後面パネルによって支持される上部後方円状ガイド２２０ｂ及び下部後方円状ガイド２２０ｄとから備えられる。
【００８４】
上部前方円状ガイド２２０ａ及び下部前方円状ガイド２２０ｃは、前面パネル２１１に支持されるように交差配置され、前面パネル２１１に備えられた上部前方円状ガイド固着部２１１−２ａ及び下部前方円状ガイド固着部２１１−２ｃにそれぞれ接触して支持される。上部前方円状ガイド２２０ａ及び下部前方円状ガイド２２０ｃは、前面パネル２１１のパネル出入ホール２１１´の周辺に備えられる。すなわち、上部前方円状ガイド２２０ａ及び下部前方円状ガイド２２０ｃは、パネル出入ホール２１１´が内部に位置するように配置される。
【００８５】
上部後方円状ガイド２２０ｂ及び下部後方円状ガイド２２０ｄは、後面パネル２１２に支持されるように交差配置されて、後面パネル２１２に備えられた上部後方円状ガイド固着部２１１−２ｂ及び下部後方円状ガイド固着部２１１−２ｄにそれぞれ接触されて支持される。
【００８６】
図７Ａないし図７Ｃは、本発明のそれぞれ別の実施形態に係る洗濯物処理機器の補助ガイドを示す図である。
【００８７】
図７Ａに示すように、補助ガイド１４０ａ、１４０ｂは、ドラム１１０の内面と接触してドラム１１０を支持する補助ガイドスライダ１４１と、補助ガイドスライダ１４１がドラム１１０に外側方向に力を印加するように補助ガイドスライダ１４１に弾性力を印加する補助ガイド弾性部材１４３と、前面パネル１１１と固定結合され補助ガイド弾性部材１４３と結合される補助ガイド結合部１４９とを備える。
【００８８】
補助ガイドスライダ１４１は、ドラム１１０が非円形の閉曲線の断面を維持して回転するように、ドラム１１０の内面と接触してドラム１１０を支持する。補助ガイドスライダ１４１は、ドラム１１０において円状ガイド１２０ａ、１２０ｂが支持しない部分を支持する。補助ガイドスライダ１４１がドラム１１０とスライド自在に接触するために、補助ガイドスライダ１４１は、摩擦係数の低い摺動部材から形成され、または、ドラム１１０と接触される部分に摩擦係数の低い物質が備えられることが好ましい。
【００８９】
補助ガイドスライダ１４１は、補助ガイド弾性部材１４３から弾性力を受けてドラム１１０の外側方向に力を印加してドラム１１０を支持する。すなわち、補助ガイドスライダ１４１は、ドラム１１０に外側方向に垂直抗力を印加する。補助ガイド弾性部材１４３は、圧縮コイルスプリングから形成されて補助ガイドスライダ１４１に弾性力を印加する。補助ガイド結合部１４９は、前面パネル１１１の前面密封パネル１１１−３の下部に固定結合される。
【００９０】
図７Ｂに示すように、補助ガイド１４０ａ、１４０ｂは、ドラム１１０の内面と接触してドラム１１０を支持し回転する複数の補助ガイドローラ２４１と、補助ガイドローラ２４１を回転できるように支持する補助ガイド支持部２４３と、補助ガイド支持部２４３と結合され前面パネル１１１と固定結合される補助ガイド結合部２４９とを備える。補助ガイド支持部２４３と補助ガイド結合部２４９との間には、補助ガイド弾性部材（図示せず）が備えられて、補助ガイド支持部２４３に弾性力を印加する。
【００９１】
補助ガイドローラ２４１は、ドラム１１０が非円形の閉曲線の断面を維持し回転するように、ドラム１１０の内面と接触してドラム１１０を支持する。補助ガイドローラ２４１は、ドラム１１０において円状ガイド１２０ａ、１２０ｂが支持しない部分を支持する。補助ガイドローラ２４１は、ドラム１１０に沿って転がる回転体として形成されて、ドラム１１０との摩擦を最小化する。
【００９２】
補助ガイドローラ２４１は、補助ガイド支持部２４３によって回転できるように支持される。補助ガイド支持部２４３は、補助ガイド結合部２４９と回転できるように結合され、補助ガイド弾性部材から弾性力を受けてドラム１１０の内面方向に回転しようとする力を発生する。補助ガイドローラ２４１は、補助ガイド支持部２４３から力を受けてドラム１１０の外側方向に力を印加してドラム１１０を支持する。すなわち、補助ガイドローラ２４１は、ドラム１１０に外側方向に垂直抗力を印加する。
【００９３】
補助ガイド弾性部材は、ねじり（トーション）スプリングで形成されて補助ガイド支持部２４３に弾性力を印加する。補助ガイド結合部２４９は、前面パネル１１１の前面密封パネル１１１−３の下部に固定結合される。
【００９４】
図７Ｃに示すように、ドラム１１０の内面と接触してドラム１１０を支持する補助ガイドプレートスプリング３４１と、補助ガイドプレートスプリング３４１を支持し前面パネル１１１と固定結合される複数の補助ガイド結合部３４９とを備える。
【００９５】
補助ガイドプレートスプリング３４１は、ドラム１１０が非円形の閉曲線の断面を維持し回転するように、ドラム１１０の内面と接触してドラム１１０を支持する。補助ガイドプレートスプリング３４１は、ドラム１１０において円状ガイド１２０ａ、１２０ｂが支持しない部分を支持する。補助ガイドプレートスプリング３４１がドラム１１０とスライド自在に接触するために、補助ガイドプレートスプリング３４１は、摩擦係数の低い材質から形成され、または、ドラム１１０と接触される部分に摩擦係数の低い物質が備えられることが好ましい。
【００９６】
補助ガイドプレートスプリング３４１は、弾性力を発生してドラム１１０に外側方向に垂直抗力を印加する。補助ガイド結合部３４９は、補助ガイドプレートスプリング３４１の両端と結合され、前面パネル１１１の前面密封パネル１１１−３の下部に固定結合される。
【００９７】
図８Ａは、本発明の一実施形態に係る洗濯物処理機器に対する内部斜視図で、図８Ｂは、図８Ａに示す洗濯物処理機器に内部正面図である。
【００９８】
本発明の一実施形態に係る洗濯物処理機器は、駆動ベルト１７５が接触しない部分と接触する補助ベルト１８５と、補助ベルト１８５に接触されて張力を印加するアイドラー１８２とを備える。
【００９９】
補助ベルト１８５は、ドラム１１０の外面で駆動ベルト１７５が接触しない部分と接触する。補助ベルト１８５は、図８Ｂのように、ドラム１１０を前後方に投影したとき駆動ベルト１７５が接触しない部分と接触する。補助ベルト１８５は、駆動ベルト１７５がドラム１１０に内側方向に垂直抗力を印加しないドラム１１０の部分に内側方向に垂直抗力を印加してドラム１１０を支持する。
【０１００】
補助ベルト１８５は、ドラム１１０でモータ１７０が近辺に位置する部分と接触されてドラム１１０の荷重を支持することが好ましい。補助ベルト１８５は、洗濯物の負荷変動に応じて変化するドラム１１０の荷重を支持して、ドラム１１０が非円形の閉曲線の断面を維持し回転できるようにする。また、補助ベルト１８５は、ドラム１１０の荷重を駆動ベルト１７５と分散して支持して、駆動ベルト１７５が切れるのを防止する。
【０１０１】
補助ベルト１８５は、ドラム１１０の下部外面を支持してドラム１１０がモータ１７０側に偏らないようにして、ドラム１１０内の空気が漏れるのを防止する。
【０１０２】
補助ベルト１８５は、ドラム１１０の外面と滑らないように接触してドラム１１０と共に回転する。補助ベルト１８５は、よく曲がり、弾力のある高分子化合物または金属の材質であることが好ましい。補助ベルト１８５は、摩擦係数の高い材質から形成されて、ドラム１１０の外面と滑らないようにするか、又は補助ベルト１８５の内面及びドラム１１０の外面に凹凸が形成されて、互いに滑らないようにすることが好ましい。
【０１０３】
アイドラー１８２は、補助ベルト１８５と接触して補助ベルト１８５に張力を印加する。アイドラー１８２は、ドラム１１０の回転中心を基準にモータ１７０の反対側に位置することが好ましい。アイドラー１８２は、補助ベルト１８５とモータ１７０の反対側で接触して、駆動ベルト１７５がドラム１１０に内側方向に垂直抗力を与えないドラム１１０部分に補助ベルト１８５がドラム１１０に内側方向に最大の垂直抗力を与えるようにする。
【０１０４】
アイドラー１８２は、補助ベルト１８５の張力を高めて補助ベルト１８５とドラム１１０との間の摩擦を最大化し、補助ベルト１８５がドラム１１０に内側方向に印加する垂直抗力を高めて、ドラム１１０が円状ガイド１２０ａ、１２０ｂ及び／又は補助ガイド１４０ａ、１４０ｂによってスムーズに支持されるようにする。
【０１０５】
アイドラー１８２は、キャビネット１０１と回転できるように結合されることができる。ドラム１１０の振動に能動的に対処できるように、アイドラー１８２は、回転時に回転中心が変化することが好ましい。アイドラー１８２は、回転時に回転中心が変化するように、キャビネット１０１と弾性部材（図示せず）を介して連結することが好ましい。
【０１０６】
補助ベルト１８５は、図８Ａのように複数備えることができ、補助ベルト１８５が複数備えられる場合に、アイドラー１８２も複数備えられる。第１補助ベルト１８５ａは、ドラム１１０の前方を支持し、第２補助ベルト１８２ｂは、ドラム１１０の後方を支持し、ドラム１１０が非円形の閉曲線の断面を維持し回転できるようにする一方、ドラム１１０のアンバランスによるドラム１１０の振動を抑制する。第１補助ベルト１８５ａは、第１アイドラー１８２ａに接触して張力を受け、第２補助ベルト１８２ｂは、第２アイドラー１８２ｂに接触して張力を受ける。
【０１０７】
図９Ａは、本発明の一実施形態に係るドラム組立体を示す図で、図９Ｂは、図９Ａに示すＡ部分の平面図である。
【０１０８】
図９Ａ及び図９Ｂに示すように、本発明の一実施形態に係るドラム組立体は、洗濯物を収容し、前方及び／又は後方が開口し、回転中心から距離が一定でない非円形の閉曲線の断面で形成されて回転可能なドラム１１０と、ドラム１１０の前方のエッジまたは後方のエッジに備えられる補強部材Ｒとを備える。
【０１０９】
ドラム１１０は、上述したように、非円形の閉曲線の断面で形成され、金属パネルの一方のエッジと他方のエッジとが溶接されて形成される。すなわち、長方形に近い金属パネルにおいて長さの短い二つの辺である一方のエッジと他方のエッジとが溶接されて、その断面が非円形の閉曲線をなすように結合される。
【０１１０】
一方のエッジと他方のエッジとが溶接された部分は、溶接部Ｗを形成する。溶接部Ｗは、ドラム１１０の前方と後方を横切る方向に伸びて形成される。溶接部Ｗの方向を一方のエッジと他方のエッジとが接合される接合線に沿って形成され、実質的に一直線に伸びて形成されて、ドラム１１０の回転軸方向と平行に形成されることができる。
【０１１１】
溶接部Ｗは、一方のエッジと他方のエッジとが溶接される方法によって多様に形成することができる。実施形態によって、一方のエッジに他方のエッジの一部が積層された状態でシーム溶接により形成されたり、金属パネルの一方のエッジと他方のエッジとを当接させた後に突き合わせ溶接により溶接されて形成されることができる。以下、溶接部Ｗは、突き合わせ溶接により形成されたと説明するが、溶接部Ｗを形成する溶接方法がこれに限定されるものではない。突き合わせ溶接により溶接部Ｗが形成されると、溶接部Ｗが形成されたドラム１１０の内面が滑らかに形成される。
【０１１２】
溶接部Ｗは、ドラム１１０の回転時にドラム１１０の形状が非円形の閉曲線断面を維持したまま回転することによって、溶接部Ｗが形成されるドラム１１０の一部分は、曲率が変化しながら回転できる。この場合、ドラム１１０の溶接部Ｗがドラム１１０の上部または下部位置に達するときに曲率が最大になり、ドラム１１０の溶接部Ｗがドラム１１０の左右側の位置に達するときにドラム１１０の内面の曲率が最小になる。
【０１１３】
溶接部Ｗが位置するドラム１１０の内面は、曲率変化に応じて応力が変化するようになり、変化する応力により溶接部Ｗに疲労（ｆａｔｉｇｕｅ）が蓄積され、疲労が一定分以上蓄積されると、溶接部Ｗにクラック（ｃｒａｃｋ）及びクラックによる破損が発生できる。
【０１１４】
このような溶接部Ｗの破損を防止するために、ドラム１１０の前方のエッジ及び／又は後方のエッジに補強部材Ｒが備えられる。補強部材Ｒは、溶接部Ｗの強度を補強して、溶接部Ｗにおいて発生するクラックの成長を防止する。補強部材Ｒが溶接部Ｗに備えられることによって、非円形の閉曲線の断面を維持して回転するドラム１１０の曲率変化により溶接部Ｗにおいてクラックが発生するのを防止でき、一部発生したクラックの成長を防止できるようになる。
【０１１５】
補強部材Ｒは、溶接部Ｗが形成されたドラム１１０のエッジに備えられる。ドラム１１０に形成された溶接部Ｗは、ドラム１１０の前方のエッジから後方のエッジまで伸び、前方のエッジ及び／又は後方のエッジに形成された溶接部Ｗが疲労による破損が最もよく起きる。ドラム１１０の前方のエッジ及び／又は後方のエッジに形成される溶接部Ｗは、一方のエッジの終端と他方のエッジの終端とが接する地点で応力が最大に集中する地点であり、このような応力が最大限集中する地点では、応力が大きくなって疲労により容易に破損する。補強部材Ｒは、このような応力が最大限集中する地点である溶接部Ｗの前方のエッジ及び／又は後方のエッジに備えられて、溶接部Ｗの強度を補強する。
【０１１６】
補強部材Ｒが溶接部Ｗの前方のエッジ及び／又は後方のエッジに備えられることによって、クラックが最も発生しやすい溶接部Ｗのエッジの強度を補強させて、溶接部Ｗにおいてクラックが発生するのを防止できるようになる。
【０１１７】
補強部材Ｒは、溶接部Ｗが形成されたドラム１１０の内面の曲率をクラックが発生しない所定の曲率に維持させる。溶接部Ｗは、一般に高温で熱融着された後に急速に冷却されて硬い（ｈａｒｄ）材質に変形する。ドラム１１０の溶接部Ｗに形成された硬い材質部分は、曲率の変化により応力が変化し、特定曲率に達すると、応力が最大に集中して溶接部Ｗに破断（ｆｒａｃｔｕｒｅ）等のクラックが起きうる。このとき、溶接部Ｗに備えられた補強部材Ｒがクラックが発生しない所定の曲率を維持させて、ドラム１１０の回転時に溶接部Ｗがこのようなクラックがおきる特定曲率に達するのを防止する。
【０１１８】
補強部材Ｒは、実施形態によってプラスチック材質を含んで形成することができる。補強部材Ｒは、ドラム１１０の変化する曲率に対応して微細に変形できるさらに強いプラスチック材質から形成されることができる。
【０１１９】
また、実施形態によって補強部材Ｒは、金属材質を含んで形成されることができる。金属材質を含む場合にも、ドラム１１０の変化する曲率に対応して微細に変形でき、プラスチックの場合より補強される強度がさらに大きく形成されることができる。
【０１２０】
補強部材Ｒは、ドラム１１０の内面と外面を同時に取り囲むように形成されるドラムクリップにより実施できる。ドラムクリップは、一側が折れて形成された補強部材Ｒであって、折れた部分にドラム１１０が結合される。ドラム１１０に結合されたドラムクリップは、ドラム１１０の前方のエッジ及び／又は後方のエッジの内面と外面を同時に支持して、溶接部Ｗの強度を補強する。
【０１２１】
また、実施形態によって補強部材Ｒは、ドラム１１０の内面のエッジまたは外面のエッジのうちの何れか一面のみを支持できる。この場合に、補強部材Ｒは、ドラム１１０の溶接部Ｗが形成された部分の外面または内面のうちの一面にだけ備えることができる。
【０１２２】
また、実施形態によって補強部材Ｒは、ドラム１１０の両面に備えることができ、ドラムクリップとは異なり、ドラム１１０の外面を支持する補強部材Ｒとドラム１１０の内面を支持する補強部材Ｒが別の部材から形成することができる。この場合に、一方の補強部材Ｒは、他方の補強部材Ｒと別の材質から形成することができる。
【０１２３】
ドラムシーラー１１４の内側には、補強部材Ｒが配置されることができる。すなわち、補強部材Ｒがドラムのエッジのうち、溶接部Ｗが形成された部分のエッジに備えられ、ドラムシーラー１１４がドラムのエッジに沿って結合される時に溶接部Ｗに結合された補強部材Ｒを備えてドラム１１０エッジの最も外側に結合される。
【０１２４】
図１０Ａは、本発明の他の実施形態に係るドラム組立体を示す図で、図１０Ｂは、図１０Ａに示す結合部の平面図で、図１０Ｃは、図１０Ａの結合部の結合前を示す図である。
【０１２５】
図１０Ａないし図１０Ｃに示すように、本発明の他の実施形態に係るドラム組立体は、洗濯物を収容し前方及び／又は後方が開口し、金属パネルの一方のエッジと他方のエッジとが結合された結合部Ｃが形成され、回転中心から距離が一定でない非円形の閉曲線の断面で形成されて回転可能なドラム１１０、及びドラム１１０の前方または後方に備えられるパネルを備える。
【０１２６】
ドラム１１０は、上述したように、非円形の閉曲線の断面で形成され、金属パネルの一方のエッジと他方のエッジとが結合されて形成される。すなわち、長方形に近い金属パネルにおいて長さが短い二辺である一方のエッジと他方のエッジとが結合されて、その断面が非円形の閉曲線をなすように結合される。
【０１２７】
金属パネルの一方のエッジと他方のエッジとが結合された部分は、結合部Ｃを形成する。結合部Ｃは、ドラム１１０の前方と後方を横切る方向に伸びて形成される。結合部Ｃの方向は、一方のエッジと他方のエッジとが接合される接合線に沿って形成され、実質的に一直線に伸びて形成されてドラム１１０の回転軸方向と平行に形成することができる。
【０１２８】
結合部Ｃは、変化するドラム１１０の曲率に対応する強度を持たなければならない。すなわち、ドラム１１０の回転時にドラム１１０の形状が非円形の閉曲線断面を維持したまま回転することによって、結合部Ｃが形成されるドラム１１０の一部分は、曲率が変化しながら回転できる。この場合、ドラム１１０の結合部Ｃがドラム１１０の上部または下部位置に達する時に曲率が最大になり、ドラム１１０の結合部Ｃがドラム１１０が左右側位置に達する時にドラム１１０の内面の曲率が最小にすることができる。
【０１２９】
これにより、結合部Ｃが位置するドラム１１０の内面は、曲率変化により応力が変化し、変化する応力により結合部Ｃに疲労が蓄積され、疲労が一定分以上蓄積されると、結合部Ｃにクラック（ｃｒａｃｋ）が発生する余地があり、発生したクラックは、結合部Ｃの破損を起こすことができる。
【０１３０】
また、結合部Ｃは、ドラム１１０の回転時にドラム１１０の回転を妨害しないように形成しなければならない。すなわち、ドラム１１０の前方と後方を横切る方向に形成された結合部Ｃは、ドラム１１０の回転時に共に回転し、ドラム１１０の前方のエッジと後方のエッジには、円状ガイド１２０ａ、１２０ｂが備えられ、ドラム１１０の内面のうち、結合部Ｃが形成された部分も円状ガイド１２０ａ、１２０ｂに接触してドラム１１０と共に回転する。この場合、円状ガイド１２０ａ、１２０ｂに接触した結合部Ｃの内面は、ドラム１１０の他の内面部分と同様に変化する曲率を有しながら回転し、円状ガイド１２０ａ、１２０ｂと接触したドラム１１０の内面が円形ガイドの外面に圧着されて回転しなければならないので、結合部Ｃが円状ガイド１２０ａ、１２０ｂと干渉を起こしてはならない。
【０１３１】
結合部Ｃが円状ガイド１２０ａ、１２０ｂと干渉を起こさないように結合部Ｃの全体が溶接されて形成されると、円状ガイド１２０ａ、１２０ｂとの干渉を防止することはできるが、ドラム１１０の回転時にドラム１１０の内面の曲率変化により溶接された部分に疲労による破損が発生できる。また、結合部Ｃ全体が従来のドラム１１０のようにシーミング（ｓｅａｍｉｎｇ）された場合には結合力が強くなるが、シーミングにより形成された突出部が円状ガイド１２０ａ、１２０ｂ及び他の構成要素と干渉を起こすことがある。
【０１３２】
このために、本実施形態に係る結合部Ｃは、一部がシーミングされて結合されたシーミング部Ｓと、一部が溶接されて結合された溶接部Ｗが形成される。シーミング部Ｓは、金属パネルの一方のエッジの一部と他方のエッジの一部とがシーミング（ｓｅａｍｉｎｇ）により結合される。
【０１３３】
シーミング部Ｓは、ドラム１１０の前方と後方を横切る方向の中央部に形成される。中央部は、円状ガイド１２０ａ、１２０ｂと接触されない部分で、シーミング部Ｓは、円状ガイド１２０ａ、１２０ｂと干渉を起こさない中央部に形成される。
【０１３４】
中央部に形成されたシーミング部Ｓは、図５Ｂに示すように、一方のエッジの折り畳み部１１０−１、１１０−２と他方のエッジの折り畳み部１１０−１、１１０−２とがシーミングされて形成される。それぞれの折り畳み部１１０−１、１１０−２がシーミングされて結合されたシーミング部Ｓは、ドラム１１０の回転時にドラム１１０の内面の曲率が変化されても金属パネルの一方のエッジと他方のエッジとを堅固に結合させて結合部Ｃが破損又は解除されないようにする。
【０１３５】
シーミング部Ｓは、実施形態によってドラム１１０の前方と後方とを横切る方向の中央部にだけ形成することができる。シーミング部Ｓは、円状ガイド１２０ａ、１２０ｂと接触されるドラム１１０のエッジ部分を除いて、ドラム１１０の前方と後方を横切る方向に沿って形成することができ、また円状ガイド１２０ａ、１２０ｂと干渉しない中央部にだけ形成することができる。また、シーミング部Ｓは、中央部に複数形成することができる。以下、シーミング部Ｓが中央部に一部分形成されると説明するが、これにシーミング部Ｓの実施形態が限定されるものではない。
【０１３６】
シーミング部Ｓは、ドラム１１０の外面及び／又は内面に形成することができ、好ましくは、ドラム１１０の外面に突出して形成する。すなわち、金属パネルの一方のエッジの一部と他方のエッジの一部が折り畳まれて外部に突出したシーミング部Ｓは、ドラム１１０の内側に収容された洗濯物との干渉を防止するために、ドラム１１０の外面に形成することが好ましい。
【０１３７】
溶接部Ｗは、一方のエッジと他方のエッジとを溶接させる方法によって多様に形成することができる。実施形態によって一方のエッジに他方のエッジの一部が積層された状態で溶接されるか、または金属パネルの一方のエッジと他方のエッジとを当接させた後、突き合わせ溶接により溶接されて形成されることができる。以下、溶接部Ｗは、突き合わせ溶接により形成されたと説明するが、これに溶接部Ｗを形成する溶接方法が限定されるものではない。
【０１３８】
シーミング部Ｓが中央部にだけ形成される実施形態によって、溶接部Ｗは、シーミング部Ｓの両側に形成される。溶接部Ｗの一方は、シーミング部Ｓの一方でドラム１１０の前方のエッジまで伸びて形成される。溶接部Ｗの他方は、シーミング部Ｓの他方からドラム１１０の後方のエッジまで伸びて形成される。
【０１３９】
シーミング部Ｓの一方から伸びて形成された溶接部Ｗは、円状ガイド１２０ａ、１２０ｂと接触されるドラム１１０のエッジ部分の一方まで形成される。すなわち、ドラム１１０の回転時に実施形態によってドラム１１０が円状ガイと共に回転するか、または円状ガイド１２０ａ、１２０ｂと相対回転（ｃｏｕｎｔｅｒ−ｒｏｔａｔｅ）されるが、結合部Ｃが形成されたドラム１１０の内面が円状ガイド１２０ａ、１２０ｂと接触される。このとき、回転するドラム１１０に形成される結合部Ｃと結合部Ｃに接触された円状ガイド１２０ａ、１２０ｂとがドラム１１０の回転時に干渉を起こすことができる。
【０１４０】
結合部Ｃがシーミング部Ｓだけで形成される場合には、シーミングされたドラム１１０の内面がドラム１１０の回転時に円状ガイド１２０ａ、１２０ｂにかかって干渉を起こしたり、円状ガイド１２０ａ、１２０ｂと離隔されてスキ間が発生できる。この場合、ドラム１１０の回転時にシーミングされた部分と円状ガイド１２０ａ、１２０ｂが正常な回転ができないから、密封が解除されるか、または振動が発生する等の干渉が発生する。
【０１４１】
このような結合部Ｃの実施形態によって結合部Ｃが円状ガイド１２０ａ、１２０ｂと干渉を起こすのを防止するために、ドラム１１０のエッジ部分に突き合わせ溶接により溶接された溶接部Ｗが形成される。突き合わせ溶接により形成された溶接部Ｗは、ドラム１１０の表面部分が滑らかに形成されて円状ガイド１２０ａ、１２０ｂと干渉を起こさないようになる。ドラム１１０のエッジ部分に溶接部Ｗが形成されることによって、ドラム１１０の回転時にドラム１１０のエッジに備えられた円状ガイド１２０ａ、１２０ｂにドラム１１０が干渉するのを防止する。
【０１４２】
ドラム１１０に形成された結合部Ｃが一部はシーミングされたシーミング部Ｓから形成されて、結合部Ｃの結合強度を増加させうるようになり、一部は、溶接された溶接部Ｗから形成されてドラム１１０の回転時に円状ガイド１２０ａ、１２０ｂとの干渉を防止すると同時に、ドラム１１０の内面の曲率変化に対応して結合部Ｃの曲率が変化できるようにする。
【０１４３】
図１１Ａは、本発明の他の実施形態に係るドラム１１０とリフトモジュール１５０を示す図で、図１１Ｂないし図１１Ｆは、リフトモジュール１５０の多様な実施形態を示す図である。
【０１４４】
図１１Ａに示すように、本発明の一実施形態に係る洗濯物処理機器は、洗濯物を収容し前方または後方が開口し、回転中心から距離が一定でない非円形の閉曲線の断面で形成され、内面の曲率が変化して回転可能なドラム１１０と、ドラム１１０の内面に備えられるリフト１５１と、ドラム１１０の外側からドラム１１０の内側へ貫通してドラム１１０の内面の変化する曲率に関係なしでリフト１５１が内面と実質的に一定の角度を維持して固定されるようにする締結手段１５２とを備える。
【０１４５】
ドラム１１０は、上述したように非円形の閉曲線の断面で形成され、ドラム１１０の回転時にドラム１１０の形状が非円形の閉曲線断面を維持したまま回転することによって、ドラム１１０の内面の曲率が変化する。
【０１４６】
リフト１５１は、ドラム１１０の内面に備えられる。リフト１５１は、ドラム１１０の回転時に洗濯物を持ち上げて落下させたり（ｔｕｍｂｌｉｎｇ）、又はドラム１１０内の洗濯物を混合させる（ｍｉｘｉｎｇ）機能を果たす。リフト１５１は、ドラム１１０と別個部材から形成されてドラム１１０の内面から突出して備えられる。
【０１４７】
また、リフト１５１が複数備えられて、何れか一つのリフト１５１は、ドラム１１０の回転時に洗濯物を持ち上げて落下させる機能（ｔｕｍｂｌｉｎｇ）を果たし、さらに他の何れか一つのリフト１５１は、ドラム１１０内の洗濯物を混合させる機能（ｍｉｘｉｎｇ）を果たすことができる。
【０１４８】
ドラム１１０の内面の曲率が変化して回転する時、リフト１５１とドラム１１０の内面との結合部分にスキ間が発生できる。すなわち、ドラム１１０の内面の特定曲率に対応する形状に形成されたリフト１５１がドラム１１０の内面に固定されると、その特定曲率の場合には、ドラム１１０の内面と圧着されて問題とならないが、ドラム１１０が内面の曲率が変化する場合には、リフト１５１とドラム１１０の内面との間にドラム１１０曲率の変化に応じてギャップが生じたりドラム１１０の内面に圧着できる。例えば、ドラム１１０の内面の曲率が特定曲率以下の場合には、リフト１５１とスキ間が発生でき、ドラム１１０の内面の曲率が特定曲率以上の場合には、曲げられたドラム１１０の内面にリフト１５１が過度に圧着される（adhere）場合が発生する。
【０１４９】
また、ドラム１１０の内面の曲率が変化すると、ドラム１１０の内面とリフト１５１とがなす角度が変化でき、ドラム１１０の内面とリフト１５１とがなす角度が変化すると、リフト１５１とドラム１１０との間に発生したギャップにドラム１１０内の洗濯物が挟まることができる。
【０１５０】
これを防止するために、本発明の一実施形態に係る締結手段１５２は、リフト１５１が内面に実質的に一定の角度を維持して固定されるようにする。すなわち、ドラム１１０の回転時にドラム１１０の内面の曲率変化に関係なしでドラム１１０の内面とリフト１５１が洗濯物が挟まらない程の所定の角度を維持できるようにして、ドラム１１０の内面が曲率が変化してもリフト１５１がドラム１１０の内面の曲率変化に対応してドラム１１０の内面と所定の角度を維持できるようにする。この場合、ドラム１１０の内面とリフト１５１とがなす所定の角度は、ドラム１１０の内面とリフト１５１との間に洗濯物が挟まらないように初期に設定された角度であって、締結手段１５２がドラム１１０の回転時に上述した所定の角度を維持してドラム１１０の内面と実質的に一定の所定の角度をなすようにする。
【０１５１】
締結手段１５２は、リフト１５１がドラム１１０の内面から法線方向へ突出するように、リフト１５１を固定させる。リフト１５１は、ドラム１１０の内面と法線方向に突出することが好ましく、実質的にドラム１１０の内面と垂直に備えられることが好ましい。ドラム１１０の内面とリフト１５１とが９０度をなす場合が最も好ましい場合であって、上述した所定の角度は、９０度を形成することが好ましいが、９０度に限定されるものではない。
【０１５２】
このような締結手段１５２とリフト１５１とは、一つのリフトモジュール１５０を形成する。すなわち、ドラム１１０の内面に備えられるリフト１５１とリフト１５１をドラム１１０に固定させる締結手段１５２とが一つのリフトモジュール１５０をなして、このリフトモジュール１５０がドラム１１０の回転時にドラム１１０の内面の曲率変化に対応して変化するようにする。変化するリフトモジュール１５０の締結手段１５２は、リフト１５１がドラム１１０の内面に所定の角度を一定に維持するようにして、ドラム１１０の内面とリフト１５１との間に洗濯物が挟まるのを防止する。
【０１５３】
図１１Ｂを参照してリフトモジュール１５０についてさらに詳細に説明すると、締結手段１５２は、ドラム１１０の外側からドラム１１０の内側へ貫通してリフト１５１に締結される。この場合、締結手段１５２は、スクリュー、ボルト、くび等で実施できるが、これに締結手段１５２の実施形態が限定されるものではない。また、締結手段１５２がドラム１１０の内側から外側へ貫通した後、ドラム１１０の外側で締結手段１５２を固定するナットなどが備えられることができる。以下、締結手段１５２がドラム１１０の外側から内側へ貫通して、リフト１５１を固定させると説明するが、これにより実施形態が限定されるものではない。
【０１５４】
締結手段１５２がリフト１５１に締結されると、締結手段１５２がドラム１１０の内面とリフト１５１とが所定の角度を維持できるようにリフト１５１を固定させる。ドラム１１０の回転時にドラム１１０の内面の曲率変化によりリフト１５１とドラム１１０とがなす角度が微細に変化しえるが、締結手段１５２が実質的に一定の所定の角度を維持させてリフト１５１とドラム１１０の内面との間にギャップが発生するのを防止する。
【０１５５】
リフト１５１とドラム１１０の内面との間には、弾性部材１５３がさらに備えられることができる。弾性部材１５３は、締結手段１５２に貫通してドラム１１０の内面に固定される。弾性部材１５３は、弾性力を有する材質から形成されて、ドラム１１０の回転時に変化する曲率に応じて、ドラム１１０の内面とリフト１５１との間にギャップが発生するのを補助する役割を果たし、リフト１５１とドラム１１０の内面との間に発生するギャップを防止する。
【０１５６】
すなわち、ドラム１１０の内面の曲率が変化して、リフト１５１とドラム１１０の内面とがなす角が所定の角度から外れるか、又は所定の角度と微々たる差である場合に、弾性部材１５３がドラム１１０の内面とリフト１５１との間で弾性的に変化してリフト１５１とドラム１１０の内面との間から発生するギャップを防止し、リフト１５１がドラム１１０の内面に所定の角度を実質的に一定に維持できるように弾性的に変化する。
【０１５７】
弾性部材１５３は、実施形態によって弾性を有するゴムパッド又は弾性力を有する高分子化合物で実施できる。以下、弾性部材１５３がゴムパッドで実施されると説明するが、これに弾性部材１５３の実施形態が限定されるものではない。
【０１５８】
図１１Ｃに示す弾性部材２５３のさらに他の実施形態を説明すれば、弾性部材２５３は、一方の厚さｈ１と他方の厚さｈ２が互いに異なるように形成される。弾性部材２５３の一方の厚さｈ１と他方の厚さｈ２が互いに異なる厚さを有することによって、弾性部材２５３の断面は、台形に類似するように形成されて、テーパー（ｔａｐｅｒ）を有する。
【０１５９】
弾性部材２５３に形成されたテーパーは、ドラム１１０の回転時にドラム１１０が反時計方向または時計方向のうちの何れか一方にだけ回転する場合に、ドラム１１０の内面の変化する曲率に対してリフト１５１が実質的に一定の角度を維持するようにリフト１５１の下部を支持する。
【０１６０】
ドラム１１０が回転してリフト１５１が洗濯物を持ち上げる場合、洗濯物を持ち上げるリフト１５１の一面を支持する弾性部材２５３の一方の厚さｈ１は、テーパー状になった他方の厚さｈ２より薄く形成される。すなわち、図１１Ｃに示すように、洗濯物を持ち上げる方向のリフト１５１の一面は、洗濯物の荷重を受けるようになることによって、ドラム１１０の内面から離隔しやすく、この反対面であるリフト１５１の他面は、ドラム１１０の内面側に曲げられる。
【０１６１】
この場合、ドラム１１０の内面とリフト１５１とが所定の角度を実質的に維持するために、洗濯物を持ち上げるリフト１５１の一面を支持する弾性部材２５３の一方の厚さｈ１が他方の厚さｈ２より薄く形成されて、リフト１５１とドラム１１０の内面との間の間隔を最小化させる。
【０１６２】
また、リフト１５１の他面を支持する弾性部材２５３の他方厚さｈ２は、一方の厚さｈ１より厚く形成されてリフト１５１の他面に加えられる力を支持し、リフト１５１の他面がドラム１１０の内面側に曲げられることを防止する。
【０１６３】
図１１Ｄに示すリフトモジュール１５０のさらに他の実施形態を参照すれば、リフト１５１は、ドラム１１０の内面に固定される第１リフト３５１−１と、ドラム１１０の内面に固定され第１リフト３５１−１と離隔されて配置される第１リフト３５１−２、及び第１リフト３５１−１と第１リフト３５１−２との間に備えられてドラム１１０の回転時に第１リフト３５１−１と第１リフト３５１−２との間の距離が調節されるようにする弾性連結体３５４とを備える。
【０１６４】
第１リフト３５１−１と第１リフト３５１−２とは、ドラム１１０の内面に固定して備えられる。第１リフト３５１−１と第１リフト３５１−２とは、締結手段１５２により固定される。この場合、締結手段１５２は、複数備えられ、各々の締結手段１５２は、第１リフト３５１−１と第１リフト３５１−２にそれぞれ締結されて、第１リフト３５１−１と第１リフト３５１−２とがドラム１１０の内面と所定の角度を実質的に維持できるように固定させる。締結手段１５２が第１リフト３５１−１と第１リフト３５１−２をドラム１１０の内面に固定させると、ドラム１１０の回転時に第１リフト３５１−１または第１リフト３５１−２がドラム１１０の内面と実質的に一定の所定の角度をなすようになる。
【０１６５】
弾性連結体３５４は、第１リフト３５１−１と第１リフト３５１−２との間に備えられる。弾性連結体３５４は、第１リフト３５１−１の終端と第１リフト３５１−２の終端とを連結できるように、第１リフト３５１−１の終端と第１リフト３５１−２の終端との間に備えられることが好ましい。
【０１６６】
弾性連結体３５４は、その長さが変化できる弾性的な材質から形成される。弾性連結体３５４は、第１リフト３５１−１と第１リフト３５１−２との間で、第１リフト３５１−１と第１リフト３５１−２の距離が調節できるように弾性的に変化する。ドラム１１０が回転すると、第１リフト３５１−１と第１リフト３５１−２とがドラム１１０の内面と実質的に垂直な所定の角度をなすことによって、第１リフト３５１−１と第１リフト３５１−２との間のドラム１１０の内面の曲率変化により第１リフト３５１−１の終端と第１リフト３５１−２の終端との間の距離が変化する。
【０１６７】
すなわち、ドラム１１０の回転時にドラム１１０の内面の曲率が変化して、ドラム１１０の曲率が「０」に近い地点では、第１リフト３５１−１と第１リフト３５１−２とが平行をなすか、又はこれに近接でき、第１リフト３５１−１と第１リフト３５１−２との距離が最大に離隔される。この場合、弾性連結体３５４の長さが長くなって第１リフト３５１−１と第１リフト３５１−２との間の距離が調節されるようになる。
【０１６８】
これに対し、ドラム１１０の内面の曲率が最大をなす地点では、第１リフト３５１−１の終端と第１リフト３５１−２の終端との間の距離が最小になるので、弾性連結体３５４の長さが短くなり、第１リフト３５１−１と第１リフト３５１−２との間の距離が調節されるようになる。
【０１６９】
図１１Ｅに示すリフトモジュール１５０のさらに他の実施形態を参照すれば、リフト４５１の両面は、実質的に平行に形成される。リフト４５１の両面は、平行に形成され、リフト４５１の厚さがテーパーをなさないことによって、相対的に薄く形成される。リフト４５１の厚さは、締結手段１５２が締結できる程度の厚さで実施され、締結手段１５２の直径に対応して形成される。
【０１７０】
リフト４５１の一端には、弾性材質の弾性リフト４５５が備えられる。弾性リフト４５５は、ドラム１１０の回転時に洗濯物を持ち上げ、洗濯物の荷重が過度でリフト４５１とドラム１１０との締結が解除される場合に弾性的に曲げられて、リフト４５１とドラム１１０との締結が解除されるのを防止する。
【０１７１】
図１１Ｆは、本発明のさらに他の実施形態に係るリフトモジュール１５０の断面図である。
【０１７２】
図１１Ｆに示すように、本発明のさらに他の実施形態に係るリフトモジュール１５０は、ドラム１１０の内面に備えられるリフト５５１と、リフト５５１をドラム１１０に固定させる締結手段５５２とを備える。
【０１７３】
この場合、締結手段５５２は、リフト５５１から突出して形成されるフックで実施される。フックは、リフト５５１と一体に形成され、ドラム１１０に開口して形成されたフックホールに圧入される（press-fit）。フックがフックホールを貫通して圧入されると、リフト５５１がドラム１１０の内面に法線方向に向けるように固定して備えられる。締結手段５５２は、上述したようにドラム１１０の曲率変化に対応してリフト５５１がドラム１１０の内面と実質的に一定の角度を維持して固定されるようにする。リフト５５５に締結手段５５２が一体に形成されることによって、ドラム１１０とリフト５５５とが結合されるとき、別途の締結手段をさらに使用する必要がないから、作業工数を低減することができる。
【０１７４】
図１２Ａは、本発明のさらに他の実施形態に係る円状ガイド３２０とパネルとを示す図で、図１２Ｂは、図１２Ａに示すＡ部分の断面図である。
【０１７５】
図１２Ａ及び図１２Ｂに示すように、本発明のさらに他の実施形態に係る洗濯物処理機器は、洗濯物を収容し前方または後方が開口し、回転中心から距離が一定でない非円形の閉曲線の断面で形成されて回転可能なドラム１１０、ドラム１１０の断面曲率が一定の部分を支持し回転可能な円状ガイド３２０、ドラム１１０の前方または後方に備えられるパネル３１１、及び円状ガイド３２０とパネル３１１との間に備えられて円状ガイド３２０を支持するローリング部材３３０を備える。以下、上述したドラム１１０と円状ガイド３２０の説明は省略し、差異を中心に説明する。
【０１７６】
パネル３１１は、ドラム１１０の円状ガイド３２０を支持する。パネル３１１がドラム１１０の前方に備えられる場合には、前面パネル３１１で実施され、ドラム１１０の後方に備えられる場合には、後面パネル（図示せず）で実施される。前面パネル３１１及び／又は後面パネルは、キャビネットなどに固定して備えられることができる。図１２Ａ以下で示されるパネル３１１は、前面パネル３１１を示すが、後面パネルにも適用されることができ、以下、パネル３１１は、前面パネル３１１であると説明する。
【０１７７】
パネル３１１は、円状ガイド３２０が回転するように、円状ガイド３２０を支持する。パネル３１１は、キャビネットと結合されてドラム１１０の荷重を支持する円状ガイド３２０を支持する。前面パネル３１１には、上述したようにパネル出入ホールが形成され、後面パネルには、上述したように吸気ダクト（図示せず）が備えられることができる。
【０１７８】
円状ガイド３２０とパネル３１１との間には、ローリング部材３３０が備えられる。ローリング部材３３０は、円状ガイド３２０が回転する時、円状ガイド３２０の内面を支持する。ローリング部材３３０は、円状ガイド３２０に印加されたドラム１１０の荷重と円状ガイド３２０自体の荷重を支持して、ドラム１１０の回転時に円状ガイド３２０の回転を支持する。
【０１７９】
ローリング部材３３０は、パネル３１１に回転可能に備えられる。ローリング部材３３０は、実施形態によってローラ、ボール等で多様に実施されることができ、ローリング部材３３０がローラで実施される場合に、ローリング部材３３０の回転軸がパネル３１１に固定結合されて、ローリング部材３３０がパネル３１１の一点に固定して回転するように備えられる。
【０１８０】
また、ローリング部材３３０は、実施形態によって円状ガイド３２０と相対回転する回転部材３３１と、回転部材３３１を貫通してパネル３１１に固定結合されるシャフト３３３とから構成することができる。この場合、シャフト３３３が回転部材３３１の回転軸をなし、回転部材３３１は、円状ガイド３２０との相対回転を介してシャフト３３３を回転軸として回転する。
【０１８１】
ローリング部材３３０は、円状ガイド３２０を支持し、ドラム１１０の回転時に円状ガイド３２０がパネル３１１に相対回転するようにする。円状ガイド３２０がドラム１１０の内面に結合されて、ドラム１１０と共に回転するか、又はドラム１１０と微々たる差で回転するとき、ローリング部材３３０は、円状ガイド３２０をパネル３１１で相対回転させる。ローリング部材３３０が円状ガイド３２０を支持すると同時にパネル３１１に円状ガイド３２０が相対回転できるように円状ガイド３２０とパネル３１１との間に備えられることによって、ドラム１１０の回転時に円状ガイド３２０がドラム１１０と共に回転する。
【０１８２】
ローリング部材３３０の外面３３５と円状ガイド３２０の内面とが接触した状態で、円状ガイド３２０が相対回転する。ローリング部材３３０の回転軸は、パネル３１１に固定結合されて、パネル３１１においてローリング部材３３０が回転し、円状ガイド３２０の内面は、ローリング部材３３０の外面３３５に接触されて円状ガイド３２０の回転時にローリング部材３３０に相対回転する。
【０１８３】
円状ガイド３２０は、内面には、ローリング部材挿入溝３２３が陥没して形成することができる。円状ガイド３２０の内面に形成したローリング部材挿入溝３２３は、ローリング部材３３０の外面３３５が挿入されるように形成することができる。ローリング部材挿入溝３２３は、ローリング部材３３０の外面３３５が挿入されるようにして、ローリング部材３３０と円状ガイド３２０の相対運動時に発生する振動などにより円状ガイド３２０がローリング部材３３０から離脱するのを防止する。
【０１８４】
ローリング部材３３０の外面３３５は、円状ガイド３２０との相対回転がよりよく起きるように、摩擦係数の高い素材から形成されることができる。すなわち、円状ガイド３２０の内面とローリング部材の外面との間で円状ガイド３２０が相対回転する時、スリップ（ｓｌｉｐ）が発生しないようにローリング部材の外面をなす素材の摩擦係数が高く形成されることが好ましい。本発明の一実施形態に係るローリング部材３３０の外面３３５は、摩擦係数の高いゴム材質から形成されることができるが、これにより実施形態が限定されるものではない。ローリング部材３３０の外面３３５が摩擦係数の高いゴム材質から形成されることによって、円状ガイド３２０とローリング部材３３０との間のスリップが発生するのを防止する。
【０１８５】
ローリング部材３３０は、パネル３１１に複数備えられる。ローリング部材３３０は、パネル３１１のエッジに沿って複数備えられ、円状ガイド３２０の内面に接触されるようにパネル３１１のエッジに沿って配置されて、円状ガイド３２０の内面に接触される。
【０１８６】
ローリング部材３３０は、パネル３１１の上側のエッジに少なくとも一つ以上備えられて、円状ガイド３２０の荷重を支持する。パネル３１１の上側のエッジに備えられるローリング部材３３０は、円状ガイド３２０の荷重を大きく受け、上側のエッジに沿って円状ガイド３２０の荷重が集中する。
【０１８７】
このような円状ガイド３２０の荷重を支持するように、パネル３１１の上側のエッジに少なくとも一つ以上のローリング部材３３０が備えられて円状ガイド３２０を支持する。本実施形態では、パネル３１１の上側のエッジに二つのローリング部材３３０が備えられて、上側のエッジの一方と他側に配置されると説明するが、これに本発明の実施形態が限定されるものではない。
【０１８８】
ローリング部材３３０は、円状ガイド３２０の中心を横切る水平線を基準に上側に複数備えられることができる。円状ガイド３２０の中心を横切る水平線は、円状ガイド３２０の幾何学的中心を横切る直径の延長線である。ローリング部材３３０は、この水平線を基準にパネル３１１の上側のエッジに複数備えられることができる。
【０１８９】
パネル３１１の上側のエッジにローリング部材３３０が少なくても一つ以上備えられることによって、円状ガイド３２０の荷重を均一に支持して、円状ガイド３２０の回転がスムーズにできるようになる。
【０１９０】
また、ローリング部材３３０は、パネル３１１の下側のエッジの中央部に少なくとも一つ以上備えることができる。パネル３１１のエッジ部分のうち、下側に備えることができ、好ましくは、下側のエッジの中央部に備えることができる。パネル３１１の下側のエッジの中央部は、円状ガイド３２０の荷重が印加されないか、印加される荷重の大きさが極めて少ない。したがって、パネル３１１の下側のエッジに配置されるローリング部材３３０は、円状ガイド３２０の相対回転をスムーズにする機能を主に果たし、これらのうち、中円状ガイド３２０の荷重が最も少なく印加される下側のエッジの中央部に備えられるローリング部材３３０は、円状ガイド３２０の相対回転をスムーズにする機能を集中的にする。
【０１９１】
ローリング部材３３０は、図１２Ｂに示すように、ローリング部材固着部３１３に備えられる。ローリング部材固着部３１３は、パネル３１１にローリング部材３３０が固着するように陥没して形成される。ローリング部材固着部３１３は、ローリング部材３３０を支持してローリング部材３３０がパネル３１１から離脱しないようにする。
【０１９２】
円状ガイド３２０の一方は、図４Ｂの実施形態とは異なり、ドラム１１０のエッジを遮蔽するように伸びて形成されたドラムプロテクター３２５が形成される。ドラムプロテクター３２５は、円状ガイド３２０と一体に形成され、ドラム１１０のエッジを遮蔽するように湾曲して形成することができる。ドラムプロテクター３２５は、ドラム１１０のエッジよりさらに大きな直径を有するように形成されて、ドラム１１０のエッジより上側にさらに突出する。
【０１９３】
円状ガイド３２０に一体に形成されたドラムプロテクター３２５は、ドラム１１０の回転時に発生する振動によりドラム１１０が円状ガイド３２０から離脱して、前方及び／又は後方に離脱するのをドラム１１０のエッジを遮蔽して支持することにより防止する。
【０１９４】
ドラム１１０と円状ガイド３２０との間には、図１２Ｂに示すパッド５１０がさらに備えられることができる。パッド５１０は、ドラム１１０の内面に固定結合されてドラム１１０と円状ガイド３２０との間を密封する。
【０１９５】
図１３Ａは、ローリング部材４３０とパネル４１１のさらに他の実施形態を示す図で、図１３Ｂは、図１３Ａに示すＢ部分の断面図である。
【０１９６】
図１３Ａ及び図１３Ｂに示すように、本発明のさらに他の実施形態に係るローリング部材固着部４１３は、パネル４１１のエッジに沿って複数形成することができる。ローリング部材固着部４１３が複数形成される場合、各々のローリング部材固着部４１３にローリング部材４３０が複数備えられることができ、このようなローリング部材固着部４１３は、各々パネル４１１のエッジに沿って離隔して配置されることができる。
【０１９７】
ローリング部材固着部４１３は、一定の間隔を隔てて離隔して配置することができ、パネル４１１のエッジに等しく形成することができる。ローリング部材固着部４１３には、それぞれローリング部材４３０が回転可能に備えられて円状ガイド３２０の荷重を支持する。ローリング部材４３０がローリング部材固着部４１３に備えられて、パネル４１１のエッジに沿って一定間隔でエッジ全体に配置されることによって、円状ガイド３２０の荷重を均一に支持できるようになる。
【０１９８】
また、ローリング部材固着部４１３は、実施形態によって、パネル４１１のエッジに沿って一体に連続的に陥没して形成することができる。この場合、ローリング部材４３０は、ローリング部材固着部４１３に複数備えられて、一定の間隔で離隔して備えられることができる。図１３Ａ及び１３Ｂでは、ローリング部材固着部４１３がパネル４１１のエッジに沿って連続的に陥没して一体に形成されると説明するが、これにより実施形態が限定されるものではない。ローリング部材固着部４１３がパネル４１１のエッジに沿って一体に陥没して形成される場合、パネル４１１の成形が作業工数が低減して作業時間や費用を減らすようになる。
【０１９９】
図１４Ａは、図４Ｂに示す構成のさらに他の実施形態を示す図である。
【０２００】
図１４Ａに示すように、本発明のさらに他の実施形態に係る洗濯物処理機器は、洗濯物を収容し前方または後方が開口し、回転中心から距離が一定でない非円形の閉曲線の断面で形成されて回転可能なドラム１１０、ドラム１１０の断面曲率が一定の部分を支持し回転可能な円状ガイド１２０ａ、１２０ｂ、及びドラム１１０と円状ガイド１２０ａ、１２０ｂとの間に備えられて、ドラム１１０と共に回転しドラム１１０と円状ガイド１２０ａ、１２０ｂとの間の摩擦により発生する騷音や振動を低減させるパッド５１０を備える。以下、図４Ｂに示す構成要素と他の部分だけを重点的に説明し、説明されない図面符号は、図４Ｂの説明で置き換える。
【０２０１】
ドラムシーラー１１４は、上述したようにドラム１１０のエッジに備えられる。ドラムシーラー１１４が結合されるドラム１１０のエッジ部分には、上述した補強部材Ｒがさらに備えられることができる。補強部材Ｒが備えられたドラム１１０のエッジ部分には、ドラムシーラー１１４が補強部材Ｒを有するように補強部材Ｒを覆う。この場合、補強部材Ｒがドラムシーラー１１４の内側に圧入されることができる。
【０２０２】
パッド５１０は、ドラム１１０と円状ガイド１２０ａ、１２０ｂとの間に備えられる。パッド５１０は、ドラム１１０のエッジに沿ってドラム１１０の内面に固定して備えられることができる。また、他の実施形態によって円状ガイド１２０ａ、１２０ｂの外面に沿って固定して備えられることができる。以下、パッド５１０がドラム１１０の内面に沿って固定して備えられると説明するが、これによりパッド５１０が固定される構成がドラム１１０に限定されるものではなく、円状ガイド１２０ａ、１２０ｂに固定されるか、又は円状ガイド１２０ａ、１２０ｂ及びドラム１１０の内面のうちの何れか一つにも固定されなくてもよい。
【０２０３】
パッド５１０がドラム１１０のエッジに沿って備えられる場合、パッド５１０の一部は、図１４Ａに示すように、補強部材Ｒと干渉できる。すなわち、パッド５１０がリム（ｒｉｍ）状に形成されて、ドラム１１０のエッジ内面に沿って備えられる場合に、ドラム１１０のエッジの一部に備えられる補強部材Ｒと干渉して、補強部材Ｒを遮蔽するよう備えられることができる。図１４Ａでは、補強部材Ｒが備えられたドラム１１０のエッジにパッド５１０が備えられたと説明するが、補強部材Ｒが備えられない部分の場合にも、パッド５１０が適用されることができ、パッド５１０についての説明が全て適用されることができる。
【０２０４】
パッド５１０は、ドラム１１０の回転時にドラム１１０と共に回転する。ドラム１１０が回転すると、ドラム１１０と円状ガイド１２０ａ、１２０ｂとの間に備えられたパッド５１０は、ドラム１１０と共に回転し、この場合、ドラム１１０と同じ角速度で回転するか、又はドラム１１０とスリップ（slip）を起こして回転することができる。また、ドラム１１０が回転して円状ガイド１２０ａ、１２０ｂが回転する場合にも、パッド５１０がドラム１１０及び／又は円状ガイドと共に回転できる。
【０２０５】
パッド５１０は、円状ガイド１２０ａ、１２０ｂとドラム１１０との間の摩擦により発生する騷音を低減させる。ドラム１１０と円状ガイド１２０ａ、１２０ｂとの間には、摩擦が存在し、ドラム１１０の回転時にドラム１１０と円状ガイド１２０ａ、１２０ｂのスリップ（ｓｌｉｐ）が発生すると、ドラム１１０と円状ガイド１２０ａ、１２０ｂとの間の摩擦により騷音が発生する。この場合、パッド５１０がドラム１１０と円状ガイド１２０ａ、１２０ｂとの間に備えられて、ドラム１１０と円状ガイド１２０ａ、１２０ｂとの間に発生する騷音を吸音して、発生する騷音を低減させる。
【０２０６】
また、円状ガイド１２０ａ、１２０ｂとドラム１１０との間の摩擦によって、機械的な振動が発生できる。発生した振動は、ドラム１１０の表面を再度振動させてドラム１１０の回転を妨害し、ドラム１１０の表面から機械的振動による騷音を発生させることができる。この場合、パッド５１０がドラム１１０と円状ガイド１２０ａ、１２０ｂとの間に備えられて、ドラム１１０と円状ガイド１２０ａ、１２０ｂとの間から発生する振動を吸収して、発生する振動を抑制する。
【０２０７】
パッド５１０の一面は、円状ガイド１２０ａ、１２０ｂと接触され、パッド５１０の他面は、ドラム１１０の内面及び補強部材Ｒと接触される。パッド５１０が円状ガイド１２０ａ、１２０ｂに固定される場合には、ドラム１１０の内面とパッド５１０との間にスリップが発生できる。また、パッド５１０がドラム１１０の内面に固定される場合には、円状ガイド１２０ａ、１２０ｂとパッド５１０との間にスリップが発生できる。また、パッド５１０が円状ガイド１２０ａ、１２０ｂとドラム１１０との間に備えられるだけで固定されいない場合には、ドラム１１０とパッド５１０との間、円状ガイド１２０ａ、１２０ｂとパッド５１０との間にスリップが発生できる。以下、パッド５１０がドラム１１０の内面に固定備えられ、円状ガイド１２０ａ、１２０ｂとスリップが発生できると説明するが、これにより実施形態が限定されるものではない。
【０２０８】
パッド５１０と円状ガイド１２０ａ、１２０ｂとの間には、スリップが起きないようにパッド５１０の摩擦係数の高い物質から形成されることが好ましい。パッド５１０は、実施形態によって摩擦係数の高い織物材質を含んで形成することができる。また、摩擦係数の高いシリコン（ｓｉｌｃｏｎｅ）材質から形成することができる。また、一般的なゴム材質を含んで形成することができる。以下、ゴム材質から形成されると説明するが、パッド５１０の材質がこれに限定されるものではない。パッド５１０が摩擦係数の高い材質から形成されることによって、ドラム１１０または円状ガイド１２０ａ、１２０ｂとのスリップが発生することを防止する。
【０２０９】
パッド５１０は、弾性力のある材質から形成することができる。ドラム１１０の回転時にドラム１１０の荷重の一部がパッド５１０に伝達され、ドラム１１０と円状ガイド１２０ａ、１２０ｂとの間でドラム１１０の荷重により圧着されることができる。この場合、パッド５１０は、弾性力のある材質から形成されてドラム１１０の荷重を受けて円状ガイド１２０ａ、１２０ｂとドラム１１０との間に圧着されて、ドラム１１０と円状ガイド１２０ａ、１２０ｂとの間を密封させることができる。
【０２１０】
パッド５１０は、補助ガイドが支持する部分から発生する騷音を低減させる。円状ガイド１２０ａ、１２０ｂが支持しないドラム１１０の内面部分は、上述した補助ガイドにより支持され、パッド５１０がドラム１１０のエッジの内面に沿って備えられることによって補助ガイドと接触されることができる。この場合、円状ガイド１２０ａ、１２０ｂの代わりに補助ガイドとドラム１１０との間にパッド５１０が配置されることができ、円状ガイド１２０ａ、１２０ｂと同様にドラム１１０の回転時に騷音及び／又は振動が発生できる。パッド５１０は、補助ガイドが支持する部分から発生する騷音や振動を防止する。
【０２１１】
図１４Ｂは、図１４Ａのさらに他の実施形態を示す図である。
【０２１２】
図１４Ｂに示すように、本発明のさらに他の実施形態に係るパッド５１０は、ドラムシーラー１１４から伸びて形成され、伸びた部分がパッド１１４−１として機能する。パッド５１０は、この場合にドラムシーラー１１４と同じ材質から形成され、パッド１１４−１の役割を果たすドラムシーラー１１４の伸びた部分が円状ガイド１２０ａ、１２０ｂとドラム１１０との間に備えられる。
【０２１３】
上述したように、ドラムシーラー１１４から伸びた部分がドラム１１０の回転時にドラム１１０と共に回転して、ドラム１１０と円状ガイド１２０ａ、１２０ｂとの間に存在する摩擦により発生する騷音や振動を低減させる。
【０２１４】
図１５Ａは、本発明のさらに他の実施形態に係る洗濯物処理機器の内部正面図であり、図１５Ｂないし図１５Ｄは、支持部材１６０のそれぞれ別の実施形態を示す図である。
【０２１５】
図１５Ａないし図１５Ｄに示すように、本発明のさらに他の実施形態に係る洗濯物処理機器は、洗濯物Ｏを収容して前方または後方が開口し、回転中心から距離が一定でない非円形の閉曲線の断面で形成されて回転可能なドラム１１０、ドラム１１０の前方または後方に備えられるパネル１１１、１１２、及びドラム１１０の外面を支持してドラム１１０が非円形の閉曲線の断面を維持して回転するようにする支持部材１６０を備える。以下で説明しない図面符号は、上述した説明で置き換え、差異を中心に説明する。
【０２１６】
支持部材１６０は、ドラム１１０の外面を支持する。支持部材１６０は、ドラム１１０の外側に備えられキャビネット１０１またはパネル１１１、１１２に固定して備えられることができる。ドラム１１０の外側に備えられた支持部材１６０は、ドラム１１０の外面を支持して、ドラム１１０の形状を維持させる。
【０２１７】
すなわち、ドラム１１０の回転時にドラム１１０の形状が非円形の閉曲線形状に回転することによって、その形状が一定にならず、ドラム１１０の内部に収容された洗濯物Ｏの荷重とドラム１１０自体の荷重によりドラム１１０の下部側に荷重が分布し、その集中する位置が状況により多様に形成されることができる。この場合、ドラム１１０と洗濯物Ｏの荷重が集中した部分は、その荷重によりドラム１１０の周囲よりさらに曲げられるか、又はさらに大きな曲率を有する現象が発生する。これにより初期に設定された非円形の閉曲線が変化し、そのためパネルシーラー１１１−４とのシーリングが解除されるか、又はドラム１１０の回転がスムーズにならない。
【０２１８】
したがって、ドラム１１０の形状を維持するために、本発明の一実施形態に係る洗濯物処理機器は、ドラム１１０の外面を支持する支持部材１６０が備えられる。支持部材１６０は、上述したようにドラム１１０とドラム１１０内部の洗濯物Ｏが有する荷重によりドラム１１０の外形が初期設定された非円形の閉曲線の断面から変形せず、初期設定した非円形の閉曲線の断面を維持して回転するようドラム１１０の外面を支持する。
【０２１９】
支持部材１６０は、ドラム１１０が自重により垂れるのを防止する。ドラム１１０とドラム１１０内部の洗濯物Ｏが有する重さは、一定の荷重を有するようになり、重力による自重によりドラム１１０の一部表面が垂れるようになる。特に、ドラム１１０の下部が最もよく垂れるようになる。この場合、ドラム１１０の外面に備えられた支持部材１６０は、ドラム１１０の外面を支持してドラム１１０とドラム１１０内部の洗濯物Ｏの荷重を支持して、ドラム１１０が自重により垂れるのを防止する。ドラム１１０が自重により垂れるのを支持部材１６０がドラム１１０の外面を支持して防止することによって、ドラム１１０の回転時にドラム１１０が非円形の閉曲線の断面形態を維持して回転できるようになる。
【０２２０】
支持部材１６０は、上述したようにキャビネット１０１またはパネル１１１、１１２等、洗濯物処理機器の内部に備えられることができる。以下、支持部材１６０は、パネル１１１、１１２に備えられると説明するが、これに支持部材１６０の固定位置が限定されるものではない。支持部材１６０は、パネル１１１、１１２に結合され、支持部材１６０の外面がドラム１１０の外面を支持する。この場合、ドラム１１０が回転すると、ドラム１１０の外面は、支持部材１６０を回転させるか、又は支持部材１６０にスライドする。支持部材１６０がドラム１１０の外面とスライドされる構成は、図１５Ｃで後述し、以下、支持部材１６０がパネル１１１、１１２に回転可能に備えられて、ドラム１１０の回転時にドラム１１０の外面が回転して支持部材１６０を回転させると説明する。
【０２２１】
支持部材１６０がドラム１１０の回転時にドラム１１０の外面の回転により回転することによって、ドラム１１０の形状を維持させると同時にドラム１１０の回転を妨害しなくなって、ドラム１１０の駆動をスムーズにする。
【０２２２】
支持部材１６０は、実施形態によって複数備えられることができる。支持部材１６０は、ドラム１１０の外面を支持する地点ごとに備えられることができ、複数の支持部材１６０が各々離隔してドラム１１０の外面を地点ごとに支持できる。支持部材１６０が複数備えられることによって、ドラム１１０の外面が複数の地点で支持されて、ドラム１１０の形状が非円形の閉曲線断面を維持しやすくなる。
【０２２３】
支持部材１６０は、ドラム１１０の下部に備えられることができる。ドラム１１０の下部には、ドラム１１０内部の洗濯物Ｏが集中して荷重によりドラム１１０が下がり易い。ドラム１１０が垂れるようになると、ドラム１１０の回転時にドラム１１０と円状ガイド１２０ａ、１２０ｂとの間に摩擦が集中する部分が発生し、このような部分がドラム１１０の回転を妨害できる。特に、ドラム１１０が垂れると、円状ガイド１２０ａ、１２０ｂの両側面部分とドラム１１０の側面部分との間に張力が発生して摩擦が集中することができる。摩擦が集中する所は、ドラム１１０のスムーズな回転を妨害する。これを解決するために、ドラム１１０の下部に支持部材１６０が備えられて、ドラム１１０の形状を維持させる。
【０２２４】
支持部材１６０は、ドラム１１０の下側のうち、ドラム１１０を垂直に横切る線を基準に対称の位置にそれぞれ備えられることができる。ドラム１１０の下部に備えられる支持部材１６０は、ドラム１１０の断面を垂直に横切る線を基準に対象となるようにドラム１１０の下側の両方に備えられることができる。理想的には、ドラム１１０の下側中央にドラム１１０の荷重と洗濯物Ｏの荷重が集中し、この場合にドラム１１０の下側中央を基準を対称するドラム１１０の下側の両方に支持部材１６０が備えられると、ドラム１１０と洗濯物Ｏの荷重を最適に支持できるようになる。
【０２２５】
支持部材１６０は、ドラム１１０の回転時に前記パネルシーラー１１１−４のシーリングが解除されるのを防止するように、ドラム１１０の外面を支持する。パネルシーラー１１１−４は、上述したようにパネル１１１、１１２のエッジに沿って備えられ、ドラム１１０の内面と円状ガイド１２０ａ、１２０ｂとの間を密封する。この場合、パネル１１１、１１２は、ドラム１１０の形状に対応して形成されることによって、ドラム１１０の形状である非円形の閉曲線断面に対応する形状に形成される。パネルシーラー１１１−４もパネル１１１、１１２のエッジに沿って形成されることによって、非円形の閉曲線の断面をなすドラム１１０の形状に対応して形成される。
【０２２６】
このとき、ドラム１１０が自重により垂れると、パネルシーラー１１１−４と接触したドラム１１０の内面のうち、一部が変形したドラム１１０の形状によりパネル１１１、１１２の形状と異なる形状をなすことがありえる。また、パネルシーラー１１１−４は、パネル１１１、１１２の形状と対応して形成されるので、変形した形状のドラム１１０は、パネルシーラー１１１−４と異なる形状を有するようになって、その断面の形状が不一致になる。パネルシーラー１１１−４とドラム１１０の断面形状が変わると、ドラム１１０とパネルシーラー１１１−４との接触が解除されて密封が解除されることができる。また、パネルシーラー１１１−４をドラム１１０の内面が過度に圧着する地点が発生し、この地点のドラム１１０は、パネルシーラー１１１−４との摩擦が必要以上に増大して、ドラム１１０の回転を妨害できる。
【０２２７】
このような問題を解決するためには、ドラム１１０が初期に設定された非円形の閉曲線断面を維持して回転しなければならない。支持部材１６０は、ドラム１１０の外面を支持してドラム１１０が初期に設定された非円形の閉曲線断面形状を維持するようにして、パネルシーラー１１１−４とドラム１１０の内面の密封が維持すると共に、ドラム１１０の回転をスムーズにする。
【０２２８】
支持部材１６０は、ドラム１１０の外面のうち、補助ガイド１４０ａ、１４０ｂが支持しない部分を支持する。補助ガイド１４０ａ、１４０ｂは、上述したように円状ガイド１２０ａ、１２０ｂが支持しない部分を支持する。この場合に、補助ガイド１４０ａ、１４０ｂは、ドラム１１０の下部に配置され、ドラム１１０の内側から外側へ向かう垂直抗力をドラム１１０の内面に提供して、ドラム１１０の内側面を支持する。このとき、ドラム１１０の下部で作用する垂直抗力は、ドラム１１０と洗濯物Ｏの荷重により重力が作用する方向と同じ方向に作用できる。ドラム１１０と洗濯物Ｏの荷重と補助ガイド１４０ａ、１４０ｂが作用する力の方向が重力方向に作用すると、ドラム１１０が垂れる現象がさらに深化する。
【０２２９】
この場合、ドラム１１０の外面のうち、補助ガイド１４０ａ、１４０ｂが支持しない部分を支持部材１６０が支持して、ドラム１１０と洗濯物Ｏの荷重によりドラム１１０が垂れるのを防止する。支持部材１６０がドラム１１０の下部外面に備えられる場合、支持部材１６０がドラム１１０の外面に作用する力の方向は、補助ガイド１４０ａ、１４０ｂがドラム１１０の内面に作用する力の方向と実質的に反対方向に作用して、ドラム１１０が垂れる方向の反対方向に力を提供して、ドラム１１０が垂れるのを防止できるようになる。
【０２３０】
支持部材１６０は、ドラム１１０の外面のうち、駆動ベルト１７５が接触しない部分を支持する。駆動ベルト１７５は、上述したようにモータ１７０の回転力を受けて回転して、ドラム１１０が非円形の閉曲線の断面を維持して回転するようにする。ドラム１１０を回転させる駆動ベルト１７５は、モータ１７０と内部構成などの結合関係によりドラム１１０の一部分と接触せずに離隔することができる。駆動ベルト１７５がドラム１１０と離隔する部分は、モータ１７０の位置によって変えることができ、上述した実施形態では、モータ１７０がドラム１１０の下部に備えられて、ドラム１１０の下部の一部が駆動ベルト１７５と離隔している。駆動ベルト１７５と接触しないドラム１１０の下部の一部は、ドラム１１０と洗濯物Ｏの荷重により上述した垂れが発生しえる。
【０２３１】
この場合、支持部材１６０がドラム１１０の外面の中駆動ベルト１７５が接触しない部分を支持する。上述した実施形態の場合には、ドラム１１０の下部の一部が駆動ベルト１７５と離隔しており、駆動ベルト１７５が接触しないドラム１１０の下部の外面を支持部材１６０が支持してドラム１１０の垂れを防止して、ドラム１１０が非円形の閉曲線の断面を維持して回転するようにする。
【０２３２】
支持部材１６０は、ドラム１１０の円状ガイド１２０ａ、１２０ｂが支持しない部分を支持する。円状ガイド１２０ａ、１２０ｂが支持するドラム１１０の内面は、ドラム１１０の上部に該当し、ドラム１１０の下部は、円状ガイド１２０ａ、１２０ｂにより支持されない。円状ガイド１２０ａ、１２０ｂに支持されないドラム１１０の下部は、ドラム１１０と洗濯物Ｏの荷重が集中するので、支持部材１６０がドラム１１０の下部の外面を支持して、ドラム１１０と洗濯物Ｏの荷重を支持する。
【０２３３】
支持部材１６０は、実施形態によって図１５Ａに示す回転可能なローラ１６０から形成される。ローラ１６０の回転軸は、パネル１１１、１１２に固定されると説明するが、これにより実施形態が限定されるものではない。ローラ１６０の外面は、ドラム１１０の外面を支持して回転する。ドラム１１０が回転すると、ドラム１１０の外面がローラ１６０を固定された回転軸に対して回転させながら、ローラ１６０がドラム１１０の外面を支持するようになる。ローラ１６０から形成された支持部材１６０は、ドラム１１０の回転時にドラム１１０の外面を支持すると同時に、ドラム１１０の外面により回転する。
【０２３４】
ローラ１６０の外面は、高硬度の弾性部材で実施できる。ローラ１６０の外面が高硬度の弾性部材で実施されると、ドラム１１０の外面と相対回転時にスリップ（ｓｌｉｐ）が発生しないことと同時に、ドラム１１０の振動を吸収して、ドラム１１０の回転をスムーズにすることができる。
【０２３５】
図１５Ｂに示すさらに他の実施形態に係る支持部材２６０は、パネル１１１、１１２に固定され、内部にローラ収容部が陥没して形成されたクラスターハウジング２６２、及びローラ収容部に収容されクラスターハウジング２６２に回転可能に結合される複数のクラスターローラ２６１を備える。
【０２３６】
クラスターハウジング２６２は、キャビネット１０１及び／又はパネル１１１、１１２に固定される。以下でクラスターハウジング２６２は、パネル１１１、１１２に固定されると説明するが、これにクラスターハウジング２６２の固定位置が限定されるものではなく、キャビネット１０１に固定することができる。
【０２３７】
クラスターハウジング２６２の内側には、ローラ収容部が陥没して形成される。クラスターハウジング２６２は、ドラム１１０の下側に複数備えられることができ、両方に対称に備えることができる。
【０２３８】
ローラ収容部には、クラスターローラ２６１が回転可能に結合される。クラスターローラ２６１は、一つのローラ収容部に複数備えられることができ、各々の回転軸がクラスターハウジング２６２に結合されてクラスターローラ２６１が回転できるように備えられる。
【０２３９】
クラスターローラ２６１は、ドラム１１０の外面を支持する。クラスターローラ２６１の外面は、ドラム１１０の外面に接触してドラム１１０の外面を支持し、接触したドラム１１０と洗濯物Ｏの荷重を支持して、ドラム１１０が非円形の閉曲線断面を維持して回転できるようにする。
【０２４０】
図１５Ｃに示すさらに他の実施形態に係る支持部材３６０は、湾曲して形成されたスライドパッド３６０から形成される。スライドパッド３６０の湾曲した中央の一面は、非円形の閉曲線の外面に等しく形成されて、ドラム１１０の外面を支持する。
【０２４１】
この場合、ドラム１１０の回転時にスライドパッド３６０とドラム１１０の外面がスライドされる。ドラム１１０の外面がスライドされるときにスライドパッド３６０と摩擦が発生し、このような摩擦を減らすためにスライドパッド３６０の材質は、摩擦係数の低い材質から形成される。摩擦係数の低い物質から形成されたスライドパッド３６０は、ドラム１１０の回転時にドラム１１０と洗濯物Ｏの荷重を支持して、ドラム１１０が垂れないようにすると共に、ドラム１１０がスムーズに回転できるようにする。
【０２４２】
図１５Ｄに示すさらに他の実施形態に係る支持部材４６０は、ドラム１１０の下側を支持し、ドラム１１０の回転により回転する支持ベルト４６１と、支持ベルト４６１の内側で支持ベルト４６１が回転するように支持ベルト４６１を支持するメインプーリー４６２、及び支持ベルトの内側で支持ベルト４６１が引っ張られるように支持ベルト４６１に張力を提供する補助プーリー４６３を備える。
【０２４３】
支持ベルト４６１は、ドラム１１０の下側外面に接触して、ドラム１１０の下側を支持してドラム１１０の垂れを防止する。支持ベルト４６１は、よく曲がり弾力のある高分子化合物または金属材質であることが好ましい。
【０２４４】
メインプーリー４６２は、支持ベルト４６１の内側に備えられて、支持ベルト４６１に張力を提供する。メインプーリー４６２は、複数備えられて、支持ベルト４６１の両側を支持し、モータ１７０または別の駆動部により回転して支持ベルト４６１を回転させる。メインプーリー４６２の回転軸は、パネル１１１、１１２またはキャビネット１０１に備えられることができる。
【０２４５】
補助プーリー４６３は、支持ベルト４６１の内側に備えられて、複数備えられることができる。補助プーリー４６３は、支持ベルト４６１とドラム１１０の下側外面とが接触されるように補助プーリー４６３を支持し、支持ベルト４６１が引っ張られるように支持ベルト４６１の両側で支持ベルト４６１を引っ張る。支持ベルト４６１に接触されたドラム１１０の外面の形状に対応するように、補助プーリー４６３が支持ベルト４６１の一方と他方とを支持して、ドラム１１０と洗濯物Ｏの荷重によりドラム１１０が垂れるのを防止する。
【０２４６】
プーリーテンショナー４６４は、一方が補助プーリー４６３に結合され、他方がパネル１１１、１１２に固定して備えられる。プーリーテンショナーは、弾性力のある材質から形成されて補助プーリー４６３に弾性力を提供する。補助プーリー４６３に提供される弾性力は、一方の補助プーリー４６３と他方の補助プーリー４６３を反対方向に離隔させ、一方の補助プーリー４６３と他方の補助プーリー４６３との間の支持ベルト４６１が引っ張られるようにする。プーリーテンショナー４６４により一方の補助プーリー４６３と他方の補助プーリー４６３に提供された弾性力は、支持ベルト４６１をぴんと張って、支持ベルト４６１がドラム１１０下部の外面を硬く支持できるようにする。
【０２４７】
図１６Ａは、図４Ｂに示す構成のさらに他の実施形態を示す図で、図１６Ｂは、図１６Ａに示す構成の正面図である。
【０２４８】
図１６Ａ及び図１６Ｂに示すように、本発明のさらに他の実施形態に係る洗濯物処理機器は、洗濯物を収容し、前方または後方が開口し、回転中心から距離が一定でない非円形の閉曲線の断面で形成されて回転可能なドラム１１０と、ドラム１１０の前方または後方に備えられるパネル１１１、パネル１１１に備えられ一面がドラム１１０の内面と接触されてドラム１１０とパネル１１１との間を密封するパネルシーラー１１１−４、及びドラム１１０の内側に備えられてパネルシーラー１１１−４の他面に備えられるパネルシーラー支持部材１９０を備える。以下、図４Ｂに示す構成要素と異なる部分だけを重点的に説明し、説明されない図面符号は、図４Ｂの説明で置き換える。
【０２４９】
パネル１１１は、上述した前面パネル１１１または後面パネル１１２を意味する。以下で、パネル１１１は、前面パネル１１１を一例として説明するが、前面パネル１１１の説明が後面パネル１１２にそのまま適用されることができる。
【０２５０】
パネルシーラー１１１−４は、パネル１１１のエッジに沿って備えられる。パネルシーラー１１１−４は、一方１１１−４ａは、ドラム１１０の内面に接触され、他方は、パネル１１１に固定して備えられる。パネルシーラー１１１−４の一方１１１−４ａは、パネル１１１に固定された他方から曲げられて、ドラム１１０の内面にパネルシーラー１１１−４の一方１１１−４ａが接触される。すなわち、パネルシーラー１１１−４が形成する直径がドラム１１０の内面直径よりさらに大きく形成されて、ドラム１１０の内面の直径よりさらに大きなパネルシーラー１１１−４の一方１１１−４ａがドラム１１０の内面に挿入されるように配置される。
【０２５１】
パネルシーラー１１１−４の一面は、ドラム１１０の内面に接触されてドラム１１０とパネル１１１との間を密封する。ドラム１１０に接触されたパネルシーラー１１１−４の一面は、パネルシーラー１１１−４の一方１１１−４ａの一面であって、ドラム１１０の内面に接触されてドラム１１０の内部とパネル１１１との間のスキ間を密封する。ドラム１１０の内部は、洗濯物を乾燥させる熱風が漏れないように密封されなければ乾燥効率が向上しないので、パネルシーラー１１１−４によりパネル１１１とドラム１１０の内部との間の密封が必要である。したがって、パネルシーラー１１１−４がドラム１１０の内面に接触されて、ドラム１１０の内部を密封する。
【０２５２】
パネルシーラー１１１−４は、パネル１１１に固定されてドラム１１０の回転時にドラム１１０の内面とスライドされる。この場合、パネルシーラー１１１−４とドラム１１０の内面との間の摩擦が発生し、このような摩擦を減らすためにパネルシーラー１１１−４は、摩擦係数の低い物質から形成される必要がある。パネルシーラー１１１−４は、摩擦係数の低い物質である摺動部材またはポリテトラフルオロエチレン（ｐｏｌｙｔｅｔｒａｆｌｕｏｒｏｅｔｈｙｌｅｎｅ；ＰＴＦＥ）オイルがミックスされた合成素材から形成されうる。また、実施形態によって織物、高分子化合物、または摩擦係数の低い高硬度のゴム材質を含んで形成することができる。
【０２５３】
パネルシーラー１１１−４とドラム１１０の内面との間の接触は、ドラム１１０の回転時にドラム１１０の形状が変形されることにより一部分で解除できる。すなわち、ドラム１１０の形状は、非円形の閉曲線の断面を維持して回転するが、ドラム１１０から発生した振動やドラム１１０と洗濯物の荷重分布により一部区間でドラム１１０の形状が変化できる。この場合に、ドラム１１０の形状が初期設定された非円形の閉曲線の断面から変形した形状になって、ドラム１１０の内面とパネルシーラー１１１−４との接触が解除されるか浮き上がるようになることができる。ドラム１１０の内面とパネルシーラー１１１−４とが浮き上がると、ドラム１１０の内面とパネルシーラー１１１−４との間の密封が解除されうる。
【０２５４】
このようなパネルシーラー１１１−４とドラム１１０との密封を維持させるために、パネルシーラー支持部材１９０がドラム１１０の内側に備えられる。パネルシーラー支持部材１９０は、ドラム１１０の内側に曲げられたパネルシーラー１１１−４の一方１１１−４ａを支持し、パネルシーラー１１１−４の一方１１１−４ａの一面とドラム１１０の内面とが密着するように、パネルシーラー１１１−４の一方１１１−４ａの他面を支持する。パネルシーラー１１１−４の一方１１１−４ａの他面に備えられるパネルシーラー支持部材１９０は、パネルシーラー１１１−４の一方１１１−４ａをドラム１１０の内面側に加圧して、ドラム１１０の内面とパネルシーラー１１１−４の一方１１１−４ａの一面とが接触されるようにする。
【０２５５】
パネルシーラー支持部材１９０がパネルシーラー１１１−４の他面に備えられて、パネルシーラー１１１−４の一面とドラム１１０の内面とが密着するように、パネルシーラー１１１−４の他面を加圧することによって、ドラム１１０の回転時にドラム１１０の振動やドラム１１０の荷重変化が起きて、ドラム１１０の断面形状が変形する場合にもパネルシーラー１１１−４とドラム１１０の内面との間の密封が維持される。
【０２５６】
パネルシーラー支持部材１９０は、弾性力のある材質から形成することができる。パネルシーラー支持部材１９０は、直径が小幅伸縮可能な弾性力のある材質から形成されて、ドラム１１０の内面に挿入された後に直径が拡張される方向に弾性的に伸びることができる。ドラム１１０の内側に配置されたパネルシーラー支持部材１９０は、パネルシーラー１１１−４の一方１１１−４ａに弾性力を提供して、ドラム１１０の回転時にパネルシーラー１１１−４の一方１１１−４ａがドラム１１０の内面に接触されるのを維持させる。
【０２５７】
パネルシーラー支持部材１９０は、円状のリング（ｒｉｎｇ）状を有するように形成されて、断面が円状でありうる。また、円状のリム（ｒｉｍ）状を有するように形成されて、断面が長方形でありうる。以下、パネルシーラー支持部材１９０は、断面が円状であるリング状で実施されると説明するが、これにパネルシーラー支持部材１９０の形状が限定されるものではない。リング状のパネルシーラー支持部材１９０は、ドラム１１０の内側に備えられ、パネルシーラー１１１−４の一方１１１−４ａの他面を支持する。
【０２５８】
この場合、パネルシーラー１１１−４の一方１１１−４ａは、パネルシーラー支持部材１９０とドラム１１０の内面との間に配置される。パネルシーラー支持部材１９０は、ドラム１１０の最も内径に配置され、ドラム１１０とパネルシーラー支持部材１９０との間にパネルシーラー１１１−４の一方１１１−４ａが挟まれて配置される。パネルシーラー支持部材１９０は、上述したように小幅伸びて、パネルシーラー１１１−４の一方１１１−４ａの他面を加圧して、ドラム１１０の内面にパネルシーラー１１１−４の一方１１１−４ａの一面が接触を維持するようにする。
【０２５９】
パッド５１０は、ドラム１１０と円状ガイド３２０との間に備えられる。パッド５１０は、ドラム１１０のエッジに沿ってドラム１１０の内面に固定して備えられることができる。また、他の実施形態によって円状ガイド３２０の外面に沿って固定して備えられることができる。以下、パッド５１０がドラム１１０の内面に沿って固定して備えられると説明するが、これによりパッド５１０の固定される構成がドラム１１０に限定されるものではなく、円状ガイド３２０に固定されたり、円状ガイド３２０及びドラム１１０の内面のうちの何れか一つにも固定されない場合もありうる。
【０２６０】
パッド５１０は、ドラム１１０の回転時にドラム１１０と共に回転する。ドラム１１０が回転すると、ドラム１１０と円状ガイド３２０との間に備えられたパッド５１０は、ドラム１１０と共に回転し、この場合、ドラム１１０と同じ角速度で回転するか、又はドラム１１０とスリップを起こして回転できる。また、ドラム１１０が回転して円状ガイド３２０が回転する場合にも、パッド５１０がドラム１１０及び／又は円状ガイド３２０と共に回転できる。
【０２６１】
パッド５１０は、円状ガイド３２０とドラム１１０との間の摩擦により発生する騷音を低減させる。ドラム１１０と円状ガイド３２０との間には摩擦が存在し、ドラム１１０の回転時にドラム１１０と円状ガイド３２０とのスリップ（ｓｌｉｐ）が発生すると、ドラム１１０と円状ガイド３２０との間の摩擦により騷音が発生する。この場合、パッド５１０がドラム１１０と円状ガイド３２０との間に備えられて、ドラム１１０と円状ガイド３２０との間から発生する騷音を吸音して発生する騷音を低減させる。
【０２６２】
また、円状ガイド３２０とドラム１１０との間の摩擦によって機械的な振動が発生できる。発生した振動は、ドラム１１０の表面を再度振動させて、ドラム１１０の回転を妨害し、ドラム１１０の表面から機械的振動による騷音を発生させることができる。この場合、パッド５１０がドラム１１０と円状ガイド３２０との間に備えられて、ドラム１１０と円状ガイド３２０との間から発生する振動を吸収して、発生する振動を抑制する。
【０２６３】
パッド５１０が円状ガイド３２０に固定される場合には、ドラム１１０の内面とパッド５１０との間にスリップが発生できる。また、パッド５１０がドラム１１０の内面に固定される場合には、円状ガイド３２０とパッド５１０との間にスリップが発生できる。また、パッド５１０が円状ガイド３２０とドラム１１０との間に備えられるだけで固定されていない場合には、ドラム１１０とパッド５１０との間、円状ガイド３２０とパッド５１０との間にスリップが発生できる。以下、パッド５１０がドラム１１０の内面に固定して備えられ、円状ガイド３２０とスリップが発生できると説明するが、これにより実施形態が限定されるものではない。
【０２６４】
パッド５１０と円状ガイド３２０との間にスリップが起きないように、パッド５１０は、摩擦係数の高い物質から形成されることが好ましい。パッド５１０は、実施形態によって摩擦係数の高い織物材質を含んで形成されることができる。また、摩擦係数の高いシリコン（ｓｉｌｃｏｎｅ）材質から形成されることもできる。また、一般的なゴム材質を含んで形成されることができる。以下、ゴム材質から形成されると説明するが、これによりパッド５１０の材質が限定されるものではない。パッド５１０が摩擦係数の高い材質から形成されることによって、ドラム１１０または円状ガイド３２０とのスリップが発生するのを防止する。
【０２６５】
パッド５１０は、弾性力のある材質から形成することができる。ドラム１１０の回転時にドラム１１０の荷重の一部がパッド５１０に伝達され、ドラム１１０と円状ガイド３２０との間でドラム１１０の荷重により圧着されることができる。この場合、パッド５１０は、弾性力のある材質から形成されてドラム１１０の荷重を受けて円状ガイド３２０とドラム１１０との間に圧着されて、ドラム１１０と円状ガイド３２０との間を密封できるようになる。
【０２６６】
円状ガイド３２０の一方は、図４Ｂの実施形態とは異なり、ドラム１１０のエッジを遮蔽するように伸びて形成されたドラムプロテクター３２５が形成される。ドラムプロテクター３２５は、円状ガイド３２０と一体に形成され、ドラム１１０のエッジを遮蔽するように湾曲して形成されることができる。ドラムプロテクター３２５は、ドラム１１０のエッジよりさらに大きな直径を有するよう形成されて、ドラム１１０のエッジより上側にさらに突出する。
【０２６７】
円状ガイド３２０に一体に形成されたドラムプロテクター３２５は、ドラム１１０の回転時に発生する振動によりドラム１１０が円状ガイド３２０から離脱して前方及び／又は後方に離脱することを、ドラム１１０のエッジを遮蔽して支持することによって防止する。
【０２６８】
上記の通りに構成される本発明にかかる洗濯物処理機器の作用を説明すれば、次の通りである。
【０２６９】
ユーザがドラム１１０の内部に洗濯物を投入した後に洗濯物処理機器を作用させると、ヒータ１３０が空気を加熱し、該加熱した空気は、ドラム１１０内に流入してドラム１１０が回転する。
【０２７０】
ヒータ１３０で加熱した空気は、吸気ダクト１３５を介して後面パネル１１２側からドラム１１０の内部に流入する。ドラム１１０の前方と後方は、それぞれ前面パネル１１１及び後面パネル１１２によって密封される。ドラム１１０は、パネルシーラー１１１−４と接触されて１次に密封され、ドラムシーラー１１４が円状ガイドブラケット１２１と接触されて２次に密封されて、ドラム１１０内の空気の漏れが遮断される。ドラム１１０の過度な振動によって、１次密封及び２次密封が解除されてもドラムシーラー１１４が前面パネルプロテクター１１１−１と接触してドラム１１０が３次に密封される。ドラム１１０内の空気は、送風ファン１３１によって排気ダクト１３３に排気され、排気ダクト１３３に排気された空気は、キャビネット１０１の外部に排出するか、又はヒータ１３０に再度流入する。
【０２７１】
一方、モータ１７０が回転力を発生すると、駆動ベルト１７５がドラム１１０を回転させる。ドラム１１０が回転するに伴って前方円状ガイド１２０ａ及び後方円状ガイド１２０ｂが共に回転して、ドラム１１０の曲率が一定の部分が円状ガイド１２０ａ、１２０ｂによって支持される。ドラム１１０は、円状ガイド１２０ａ、１２０ｂによって支持されない部分が補助ガイド１４０ａ、１４０ｂによって支持されるので、非円形の閉曲線の断面を維持しながら回転する。円状ガイド１２０ａ、１２０ｂ及び補助ガイド１４０ａ、１４０ｂがドラム１１０の内面と接触してドラム１１０に外側方向に垂直抗力を与えてドラム１１０を支持することに対し、駆動ベルト１７５及び補助ベルト１８５は、ドラム１１０の外面と接触してドラム１１０に内側方向に垂直抗力を与えてドラム１１０を支持する。補助ベルト１８５は、駆動ベルト１７５が接触しない部分に接触してドラム１１０が偏るのを防止する。
【０２７２】
ドラム１１０が回転すると、洗濯物がリフター１１５によって持ち上げられてから落下し、加熱した空気が洗濯物を乾燥させる。
【０２７３】
上述した洗濯物処理機器は、乾燥器に限定して説明したが、ドラムが使用される洗濯機など多様な洗濯物処理機器に本発明の思想が適用されることができる。
【０２７４】
以上では、本発明の実施形態について図示し説明したが、本発明は、上述した特定の実施形態に限定されるものではなく、請求の範囲で請求する本発明の要旨から逸脱せずに当該発明が属する技術分野における通常の知識を有した者によって多様な変形実施が可能なことはもちろんで、このような変形実施は、本発明の技術的思想や展望から個別的に理解されてはならない。
【図１】
2013533091.tif 000002
【図２】
2013533091.tif 000003
【図３ａ】
2013533091.tif 000004
【図３ｂ】
2013533091.tif 000005
【図３ｃ】
2013533091.tif 000006
【図４ａ】
2013533091.tif 000007
【図４ｂ】
2013533091.tif 000008
【図５ａ】
2013533091.tif 000009
【図５ｂ】
2013533091.tif 000010
【図５ｃ】
2013533091.tif 000011
【図５ｄ】
2013533091.tif 000012
【図６ａ】
2013533091.tif 000013
【図６ｂ】
2013533091.tif 000014
【図６ｃ】
2013533091.tif 000015
【図７ａ】
2013533091.tif 000016
【図７ｂ】
2013533091.tif 000017
【図７ｃ】
2013533091.tif 000018
【図８ａ】
2013533091.tif 000019
【図８ｂ】
2013533091.tif 000020
【図９ａ】
2013533091.tif 000021
【図９ｂ】
2013533091.tif 000022
【図１０ａ】
2013533091.tif 000023
【図１０ｂ】
2013533091.tif 000024
【図１０ｃ】
2013533091.tif 000025
【図１１ａ】
2013533091.tif 000026
【図１１ｂ】
2013533091.tif 000027
【図１１ｃ】
2013533091.tif 000028
【図１１ｄ】
2013533091.tif 000029
【図１１ｅ】
2013533091.tif 000030
【図１１ｆ】
2013533091.tif 000031
【図１２ａ】
2013533091.tif 000032
【図１２ｂ】
2013533091.tif 000033
【図１３ａ】
2013533091.tif 000034
【図１３ｂ】
2013533091.tif 000035
【図１４ａ】
2013533091.tif 000036
【図１４ｂ】
2013533091.tif 000037
【図１５ａ】
2013533091.tif 000038
【図１５ｂ】
2013533091.tif 000039
【図１５ｃ】
2013533091.tif 000040
【図１５ｄ】
2013533091.tif 000041
【図１６ａ】
2013533091.tif 000042
【図１６ｂ】
2013533091.tif 000043
【国際調査報告】
2013533091.tif 000044
2013533091.tif 000045